(57)【要約】  制御情報は、異なるＴＴＩ長さの間に送信される。異なるＴＴＩについての異なる制御情報は、たとえば、物理ダウンリンク制御チャネル（ＰＤＣＣＨ）のような、制御情報の通信のために確立される制御チャネルリソースを使用して送信され得る。第１のＴＴＩについての制御情報は、リソースの第１のセット中に位置し、第２のＴＴＩについての制御情報は、リソースの第２のセット中に位置し得る。リソースの第１のセットは、第１の制御情報を識別するようにユーザ機器（ＵＥ）によって探索され得る第１の探索空間内に位置し得る。リソースの第２のセットは、第２の制御情報を識別するようにＵＥによって探索され得る第２の探索空間内に位置し得る。【選択図】図２
2019506077.tif 000002
【特許請求の範囲】
【請求項１】
ワイヤレス通信の方法であって、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を備える、方法。
【請求項２】
前記第２の探索空間は、前記第１の探索空間に関連付けられる、
請求項１に記載の方法。
【請求項３】
前記第２の探索空間は、前記第１の探索空間のサブセットである、
請求項１に記載の方法。
【請求項４】
前記第１の探索空間を前記識別することは、
受信したワイヤレス送信の復号のための複数の復号候補と前記第１の制御情報および前記第２の制御情報のアイデンティフィケーションを導出することと、
前記第１の探索空間中にあるとして前記復号候補の第１のサブセットを識別すること
を備える、請求項１に記載の方法。
【請求項５】
前記第２の探索空間を前記決定することは、
前記第２の探索空間中にあるとして前記復号候補の第２のサブセットを識別すること
を備える、請求項４に記載の方法。
【請求項６】
前記復号候補の第１のサブセットおよび前記復号候補の第２のサブセットは、前記複数の復号候補の重複しないサブセットである、
請求項５に記載の方法。
【請求項７】
前記導出することは、ユーザ機器（ＵＥ）ネットワーク識別子、ランダムシード、または制御情報のために利用可能な合計サイズのうちの１つまたは複数に少なくとも部分的に基づく、
請求項４に記載の方法。
【請求項８】
前記第２の探索空間を前記決定することは、
第２のＵＥネットワーク識別子または第２のランダムシードのうちの１つまたは複数に少なくとも部分的に基づいて前記第２の探索空間を導出することを備える、
請求項７に記載の方法。
【請求項９】
前記第１の制御情報は、第１のダウンリンク制御情報（ＤＣＩ）サイズおよび第１のＤＣＩフォーマットを有する第１のＤＣＩを備え、前記第２の制御情報は、第２のＤＣＩサイズおよび第２のＤＣＩフォーマットを有する第２のＤＣＩを備え、前記第１のＤＣＩサイズと前記第２のＤＣＩサイズあるいは前記第１のＤＣＩフォーマットと前記第２のＤＣＩフォーマットのうちの１つまたは複数は、異なる、
請求項１に記載の方法。
【請求項１０】
前記第１のＤＣＩサイズは、前記第２のＤＣＩサイズより大きい、
請求項９に記載の方法。
【請求項１１】
前記第１のＤＣＩサイズおよび第２のＤＣＩサイズは、同じであり、前記第２のＤＣＩのうちの１または複数のビットは、前記第１のＤＣＩ中の対応するビットと異なる情報を提供する、
請求項９に記載の方法。
【請求項１２】
前記第１のＤＣＩは、巡回冗長検査（ＣＲＣ）ビットの第１の数を含み、前記第２のＤＣＩは、前記ＣＲＣビットの第１の数より多いＣＲＣビットの第２の数を含む、
請求項９に記載の方法。
【請求項１３】
前記モニタすることは、
前記第１の制御情報についての前記第１の探索空間において受信したワイヤレス送信をブラインド復号することと
前記第２の制御情報についての前記第２の探索空間において受信したワイヤレス送信をブラインド復号することと
を備える、請求項１に記載の方法。
【請求項１４】
前記第２のＴＴＩ送信のためのアグリゲーションレベルの利用可能な数、前記第２の制御情報のために利用可能なＤＣＩフォーマットのうちの１つまたは複数に少なくとも部分的に基づいて前記第２の探索空間中で受信した送信をブラインド復号するためのブラインド復号候補のセットを識別することをさらに備える、
請求項１３に記載の方法。
【請求項１５】
前記第１の探索空間のための異なるブラインド復号候補のセットは、前記第２のＴＴＩを使用する送信が構成されないときより前記第２のＴＴＩを使用する送信が構成されるときに識別される、
請求項１４に記載の方法。
【請求項１６】
前記第２の制御情報に関連付けられたハイブリッド自動再送要求（ＨＡＲＱ）フィードバックについてのラウンドトリップ時間（ＲＴＴ）に少なくとも部分的に基づいて前記第２の探索空間中で受信した送信をブラインド復号するためのブラインド復号候補のセットを識別することをさらに備える、
請求項１３に記載の方法。
【請求項１７】
前記第１の制御情報に関連付けられたＨＡＲＱフィードバックについての第１のＲＴＴを識別することと
前記第２の制御情報に関連付けられたＨＡＲＱフィードバックについての第２のＲＴＴを識別すること、ここにおいて、前記第２のＲＴＴは、前記第１のＲＴＴより短い、と
をさらに備える、請求項１に記載の方法。
【請求項１８】
前記第２のＲＴＴは、前記第２の制御情報を受信するＵＥの能力に少なくとも部分的に基づいて決定される、
請求項１７に記載の方法。
【請求項１９】
前記第１のＲＴＴは、前記ＵＥの前記能力に少なくとも部分的に基づいて前記レガシーＲＴＴより短いＲＴＴまたはレガシーＲＴＴになるように決定される、
請求項１８に記載の方法。
【請求項２０】
前記第２の制御情報は、ワイヤレス送信サブフレームの第１のスロットにおいて送信される第２の制御情報の第１のサブセットと、前記ワイヤレス送信サブフレームの第２のスロットにおいて送信される第２の制御情報の第２のサブセットとを備える、
請求項１に記載の方法。
【請求項２１】
前記ワイヤレス送信サブフレームの前記第１のスロットにおいて送信される前記第１のサブセットは、前記第１のスロットにおける共有チャネルデータ送信で時分割多重化される制御チャネル中で送信され、前記ワイヤレス送信サブフレームの前記第２のスロットにおいて送信される第２のサブセットは、前記第２のスロットにおける共有チャネルデータ送信で時分割多重化および周波数分割多重化の両方が行われる第２の制御チャネル中で送信される、
請求項２０に記載の方法。
【請求項２２】
前記第２の制御情報の第２のサブセットのシンボルロケーションまたは構成される開始シンボルロケーションのうちの１つまたは複数に少なくとも部分的に基づいて前記第２のスロット中の前記第２の共有チャネルデータ送信のための開始シンボルを決定することをさらに備える、
請求項２０に記載の方法。
【請求項２３】
前記第２の制御情報の第２のサブセットについてモニタするための前記第２のスロット中の第３の探索空間を決定することと、
前記第３の探索空間に少なくとも部分的に基づいて前記第２のスロットにおける前記共有チャネルデータ送信のための開始シンボルを決定することと
をさらに備える、請求項２０に記載の方法。
【請求項２４】
前記第３の探索空間は、制御情報送信のために構成される前記第２のスロットのリソースブロック（ＲＢ）のセットに少なくとも部分的に基づいて決定される、
請求項２３に記載の方法。
【請求項２５】
前記第１の探索空間および第２の探索空間は、前記第１のスロットにおける送信のためのシステム帯域幅にわたって分配され、前記第３の探索空間は、前記システム帯域幅のサブセットにわたって分配される、
請求項２３に記載の方法。
【請求項２６】
前記第３の探索空間は、前記第２の制御情報に関連付けられた送信モードに少なくとも部分的に基づいて決定される、
請求項２３に記載の方法。
【請求項２７】
前記第２の制御情報の第２のサブセットは、前記ワイヤレス送信サブフレームの前記第２のスロットにおいて送信される物理ダウンリンク制御チャネル（ＰＤＣＣＨ）情報または物理制御フォーマットインジケータチャネル（ＰＣＦＩＣＨ）情報のうちの１つまたは複数を備える、
請求項２０に記載の方法。
【請求項２８】
ワイヤレス通信のための装置であって、
２つ以上のシンボル期間を含む第１の持続時間を持つ第１の送信時間間隔（ＴＴＩ）と前記第１の持続時間より短い第２の持続時間を持つ第２のＴＴＩとを識別するための手段と、
前記第１のＴＴＩに関連付けられた第１の制御情報についてモニタするための第１の探索空間を識別するための手段と、
前記第１の探索空間に少なくとも部分的に基づいて、前記第２のＴＴＩに関連付けられた第２の制御情報についてモニタするための第２の探索空間を決定するための手段と
前記第１の制御情報についての前記第１の探索空間または前記第２の制御情報についての前記第２のもののうちの少なくとも１つをモニタするための手段と
を備える装置。
【請求項２９】
ワイヤレス通信のための装置であって、
プロセッサと、
前記プロセッサと電子的に通信するメモリと、
前記メモリ中に記憶された命令と
を備え、前記命令は、前記プロセッサによって実行されると、前記装置に、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を行わせるように動作可能である、装置。
【請求項３０】
ワイヤレス通信のためのコードを記憶する非一時的コンピュータ可読媒体であって、前記コードは、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を行わせるように実行可能である、非一時的コンピュータ可読媒体。
【発明の詳細な説明】
【相互参照】
【０００１】
[1]本特許出願は、各々が本出願の譲受人に譲渡された、２０１６年２月３日に出願された「Control Channel Signaling Techniques In Wireless Systems With Multiple Possible Transmission Time Intervals」と題する米国仮特許出願第６２／２９０，８９９号および２０１６年１１月２１日に出願された「Control Channel Signaling Techniques in Wireless Systems with Multiple Possible Transmission Time Intervals」と題する米国出願１５／３５６，９６６号に対る優先権を主張する。
【背景技術】
【０００２】
[2]以下は、一般に、ワイヤレス通信に関し、より詳細には、複数の可能な送信時間間隔（ＴＴＩ）長さを使用するように構成されるシステムのためのチャネルシグナリングを制御することに関する。
【０００３】
[3]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含みえ、各々が、複数の通信デバイスのための通信を同時にサポートし、それらは、別名ユーザ機器（ＵＥ）として知られ得る。
【０００４】
[4]多元接続技術は、異なるワイヤレスデバイスが、地方、国、地域、さらには世界レベルで通信することを可能にする、共通のプロトコルを提供するために、様々な電気通信規格において採り入れられている。ロングタームエボリューション（ＬＴＥ（登録商標））基準に従って動作するシステムを含む、ワイヤレス多元接続システムは、各々が複数のＵＥのための通信を同時にサポートする多数の基地局を含み得る。アップリンク制御情報（ＵＣＩ）およびダウンリンク制御情報（ＤＣＩ）は、ＵＥと基地局との間で交換され得る。ＵＣＩおよびＤＣＩは、確認応答データ、チャネル状態情報（ＣＳＩ）、スケジューリング情報（たとえば、割り当て情報、変調およびコーディングスキーム（ＭＣＤ））、または同等のもののような、データを含み得る。ＵＣＩは、物理アップリンク制御チャネル（ＰＵＣＣＨ）または物理アップリンク共有チャネル（ＰＵＳＣＨ）を使用してＵＥから基地局に送信され得る一方、ＤＣＩは、物理ダウンリンク制御チャネル（ＰＤＣＣＨ）または物理ダウンリンク共有チャネル（ＰＤＳＣＨ）を使用して基地局からＵＥに送信され得る。
【０００５】
[5]いくつかのアプリケーションでは、様々なＵＥのためのレイテンシは、ＴＴＩを選択することとデータトラフィックに基づいて送信制御情報（たとえば、ＵＣＩ、ＤＣＩ）のために割り振られたアップリンクおよびダウンリンクリソースを適応させることによって低減され得る。複数の異なるＴＴＩは、いくつかの場合において、各ＴＴＩに関連付けられる異なる制御情報をもたらし、そのような制御情報の効率の良い送信は、複数の異なるＴＴＩを使用するシステムの全体の効率を向上させ得る。
【発明の概要】
【０００６】
[6]説明される技法は、複数の送信時間間隔（ＴＴＩ）長さを使用するように構成可能なシステムにおける制御チャネルシグナリングをサポートする改善された方法、システム、デバイス、または装置に関する。説明される技法は、０．５ｍｓ（またはスロット）ＴＴＩのようなより短いＴＴＩと共に１ミリ秒（ｍｓ）（またはレガシー）ＴＴＩを使用するいくつかの送信のような、異なるＴＴＩ長さについての制御情報送信を提供し得る。異なるＴＴＩについての異なる制御情報は、たとえば、物理ダウンリンク制御チャネル（ＰＤＣＣＨ）のような、制御情報の通信のために確立される制御チャネルリソースを使用して送信され得る。制御チャネル内の異なるリソースは、異なるＴＴＩ送信についての制御情報を提供するように構成され得る。いくつかの例では、１ｍｓＴＴＩについての制御情報は、リソースの第１のセット中に位置し、０．５ｍｓＴＴＩについての制御情報は、リソースの第２のセット中に位置し得る。
【０００７】
[7]いくつかの例では、リソースの第１のセットは、１ｍｓ制御情報を識別するようにユーザ機器（ＵＥ）によって探索され得る第１の探索空間内に位置し得る。リソースの第２のセットは、０．５ｍｓ制御情報を識別するようにＵＥによって探索され得る第２の探索空間内に位置し得る。いくつかの例では、第２の探索空間は、ずっと第１の探索空間のサブセットであるような、第１の探索空間に基づいて決定され得る、または別の方法で第１の探索空間のサブセットに基づいて導出され得る。いくつかの例では、制御情報を決定するために第１または第２の探索空間のブラインド復号することは、復号候補の制限されたセットまたは構成されたハイブリッド自動再送要求（ＨＡＲＱ）ラウンドトリップ時間（ＲＴＴ）に基づき得る。
【０００８】
[8]ワイヤレス通信の方法が説明される。方法は、２つ以上のシンボル期間を含む第１の持続時間を持つ第１の送信時間間隔（ＴＴＩ）と第１の持続時間より短い第２の持続時間を持つ第２のＴＴＩとを識別することと、第１のＴＴＩに関連付けられた第１の制御情報についてモニタするための第１の探索空間を識別することと、第１の探索空間に少なくとも部分的に基づいて、第２のＴＴＩに関連付けられた第２の制御情報についてモニタするための第２の探索空間を決定することと、第１の制御情報についての第１の探索空間または第２の制御情報についての第２のもののうちの少なくとも１つをモニタすることとを含み得る。
【０００９】
[9]ワイヤレス通信のための装置が説明される。装置は、２つ以上のシンボル期間を含む第１の持続時間を持つ第１の送信時間間隔（ＴＴＩ）と第１の持続時間より短い第２の持続時間を持つ第２のＴＴＩとを識別するための手段と、第１のＴＴＩに関連付けられた第１の制御情報についてモニタするための第１の探索空間を識別するための手段と、第１の探索空間に少なくとも部分的に基づいて、第２のＴＴＩに関連付けられた第２の制御情報についてモニタするための第２の探索空間を決定するための手段と、第１の制御情報についての第１の探索空間または第２の制御情報についての第２のもののうちの少なくとも１つをモニタするための手段とを含み得る。
【００１０】
[10]さらなる装置が説明される。この装置は、プロセッサと、プロセッサと電子通信するメモリと、メモリに記憶された命令とを含み得る。命令は、プロセッサに、２つ以上のシンボル期間を含む第１の持続時間を持つ第１の送信時間間隔（ＴＴＩ）と第１の持続時間より短い第２の持続時間を持つ第２のＴＴＩとを識別することと、第１のＴＴＩに関連付けられた第１の制御情報についてモニタするための第１の探索空間を識別することと、第１の探索空間に少なくとも部分的に基づいて、第２のＴＴＩに関連付けられた第２の制御情報についてモニタするための第２の探索空間を決定することと、第１の制御情報についての第１の探索空間または第２の制御情報についての第２のもののうちの少なくとも１つをモニタすることと行わせるように動作可能であり得る。
【００１１】
[11]ワイヤレス通信のための非一時的コンピュータ可読媒体が説明される。非一時的コンピュータ可読媒体は、プロセッサに、２つ以上のシンボル期間を含む第１の持続時間を持つ第１の送信時間間隔（ＴＴＩ）と第１の持続時間より短い第２の持続時間を持つ第２のＴＴＩとを識別することと、第１のＴＴＩに関連付けられた第１の制御情報についてモニタするための第１の探索空間を識別することと、第１の探索空間に少なくとも部分的に基づいて、第２のＴＴＩに関連付けられた第２の制御情報についてモニタするための第２の探索空間を決定することと、第１の制御情報についての第１の探索空間または第２の制御情報についての第２のもののうちの少なくとも１つをモニタすることと行わせる命令を含み得る。
【００１２】
[12]上述された方法、装置、または非一時的コンピュータ可読媒体のいくつかの例では、第２の探索空間は、第１の探索空間に関連付けられる。上述された方法、装置、または非一時的コンピュータ可読媒体のいくつかの例では、第２の探索空間は、第１の探索空間のサブセットであり得る。
【００１３】
[13]上述された方法、装置、または非一時的コンピュータ可読媒体のいくつかの例では、第１の探索空間を識別することは、第１の制御情報および第２の制御情報のアイデンティフィケーション（ＩＤ）および受信したワイヤレス送信の復号のための復号候補のセットを導出することを備える。方法、装置、または非一時的コンピュータ可読媒体のいくつかの例はさらに、第１の探索空間中であるような復号候補の第１のサブセットを識別するための処理、特徴、手段、または命令を含み得る。
【００１４】
[14]上述された方法、装置、または非一時的コンピュータ可読媒体のいくつかの例では、第２の探索空間を決定することは、第２の探索空間中であるような復号候補の第２のサブセットを識別することを備える。上述された方法、装置、または非一時的コンピュータ可読媒体のいくつかの例では、復号候補の第１のサブセットおよび復号候補の第２のサブセットは、復号候補のセットの重複しないサブセットである。
【００１５】
[15]上述された方法、装置、または非一時的コンピュータ可読媒体のいくつかの例では、導出することは、ＵＥネットワーク識別子、ランダムシード、または制御情報の利用可能な合計サイズのうちの１つまたは複数に基づく。上述された方法、装置、または非一時的コンピュータ可読媒体のいくつかの例では、第２の探索空間を決定することは、第２のＵＥネットワーク識別子または第２のランダムシードのうちの１つまたは複数に基づいて第２の探索空間を導出することを備える。
【００１６】
[16]上述された方法、装置、または非一時的コンピュータ可読媒体のいくつかの例では、第１の制御情報は、第１のダウンリンク制御情報（ＤＣＩ）サイズおよび第１のＤＣＩフォーマットを有する第１のＤＣＩを備え、第２の制御情報は、第２のＤＣＩサイズおよび第２のＤＣＩフォーマットを有する第２のＤＣＩを備え、第１のＤＣＩサイズと第２のＤＣＩサイズあるいは第１のＤＣＩフォーマットと第２のＤＣＩフォーマットのうちの１つまたは複数は、異なる。
【００１７】
[17]上述された方法、装置、または非一時的コンピュータ可読媒体のいくつかの例では、第１のＤＣＩサイズは、第２のＤＣＩサイズより長い。上述された方法、装置、または非一時的コンピュータ可読媒体のいくつかの例では、第１のＤＣＩサイズおよび第２のＤＣＩサイズは、同じであり、第２のＤＣＩのうちの１または複数ビットは、第１のＤＣＩ中の対応するビットと異なる情報を提供する。
【００１８】
[18]上述された方法、装置、または非一時的コンピュータ可読媒体のいくつかの例では、第１のＤＣＩは、サイクリック冗長チェック（ＣＲＣ）ビットの第１の数を含み、第２のＤＣＩは、ＣＲＣビットの第１の数より多いＣＲＣビットの第２の数を含む。
【００１９】
[19]上述された方法、装置、または非一時的コンピュータ可読媒体のいくつかの例では、モニタすることは、第１の制御情報についての第１の探索空間において受信されたワイヤレス送信をブラインド復号することを含み得る。上述された方法、装置、または非一時的コンピュータ可読媒体のいくつかの例はさらに、第２の制御情報についての第２の探索空間において受信されたワイヤレス送信をブラインド復号するための処理、特徴、手段、または命令を含み得る。
【００２０】
[20]上述された方法、装置、または非一時的コンピュータ可読媒体のいくつかの例はさらに、第２のＴＴＩ送信についてのアグリゲーションレベルの利用可能な数、または第２の制御情報についての利用可能なＤＣＩフォーマットのうちの１つまたは複数に基づいて第２の探索空間において受信された送信をブラインド復号するための処理、特徴、手段、または命令を含み得る。
【００２１】
[21]上述された方法、装置、または非一時的コンピュータ可読媒体のいくつかの例では、第１の探索空間のための異なるブラインド復号候補のセットは、第２のＴＴＩを使用する送信が構成されないときより第２のＴＴＩを使用する送信が構成されるときに識別される。
【００２２】
[22]上述された方法、装置、または非一時的コンピュータ可読媒体のいくつかの例はさらに、第２の制御情報に関連付けられたハイブリッド自動再送要求（ＨＡＲＱ）フィードバックのためのラウンドトリップ時間（ＲＴＴ）に基づいて第２の探索空間において受信した送信をブラインド復号するためのブラインド復号候補のセットを識別するための処理、特徴、手段、または命令を含み得る。
【００２３】
[23]上述された方法、装置、または非一時的コンピュータ可読媒体のいくつかの例はさらに、第１の制御情報に関連付けられたＨＡＲＱフィードバックのための第１のＲＴＴを識別するための処理、特徴、手段、または命令を含み得る。上述された方法、装置、または非一時的コンピュータ可読媒体のいくつかの例はさらに、第２の制御情報に関連付けられたＨＡＲＱフィードバックのための第２のＲＴＴを識別するための処理、特徴、手段、または命令を含み得、第２のＲＴＴは、第１のＲＴＴより短い。
【００２４】
[24]上述された方法、装置、または非一時的コンピュータ可読媒体のいくつかの例では、第２のＲＴＴは、第２の制御情報を受信するＵＥの能力に基づいて決定される。上述された方法、装置、または非一時的コンピュータ可読媒体のいくつかの例では、第１のＲＴＴは、ＵＥの能力に基づいてレガシーＲＴＴより短いＲＴＴまたはレガシーＲＴＴになるように決定される。
【００２５】
[25]上述された方法、装置、または非一時的コンピュータ可読媒体のいくつかの例では、第２の制御情報は、ワイヤレス送信サブフレームの第１のスロットにおいて送信される第２の制御情報の第１のサブセットと、ワイヤレス送信サブフレームの第２のスロットにおいて送信される第２の制御情報の第２のサブセットとを備える。
【００２６】
[26]上述された方法、装置、または非一時的コンピュータ可読媒体のいくつかの例では、ワイヤレス送信サブフレームの第１のスロットにおいて送信される第１のサブセットは、第１のスロットにおける共有チャネルデータ送信で時分割多重化される制御情報中で送信され、ワイヤレス送信サブフレームの第２のスロットにおいて送信される第２のサブセットは、第２のスロットにおける共有チャネルデータ送信で時分割多重化および周波数分割多重化の両方が行われる第２の制御チャネル中で送信される。
【００２７】
[27]上述された方法、装置、または非一時的コンピュータ可読媒体のいくつかの例はさらに、第２の制御情報の第２のサブセットのシンボルロケーションまたは構成される開始シンボルロケーションのうちの１つまたは複数に基づいて第２のスロットにおいて共有チャネルデータ送信のための開始シンボルを決定するための処理、特徴、手段、または命令を含み得る。
【００２８】
[28]上述された方法、装置、または非一時的コンピュータ可読媒体のいくつかの例はさらに、第２の制御情報の第２のサブセットについてモニタするための第２のスロットにおける第３の探索空間を決定するための処理、特徴、手段、または命令を含み得る。上述された方法、装置、または非一時的コンピュータ可読媒体のいくつかの例はさらに、第３の探索空間に基づいて第２のスロットにおける共有チャネルデータ送信のための開始シンボルを決定するための処理、特徴、手段、または命令を含み得る。
【００２９】
[29]上述された方法、装置、または非一時的コンピュータ可読媒体のいくつかの例では、第３の探索空間は、制御情報送信のために構成される第２のスロットのリソースブロック（ＲＢ）のセットに基づいて決定される。上述された方法、装置、または非一時的コンピュータ可読媒体のいくつかの例では、第１の探索空間および第２の探索空間は、第１のスロットにおける送信のためのシステム帯域幅にわたって分配され、第３の探索空間は、システム帯域幅のサブセットにわたって分配される。
【００３０】
[30]上述された方法、装置、または非一時的コンピュータ可読媒体のいくつかの例では、第３の端他空間は、第２の制御情報に関連付けられた送信モードに基づいて決定される。
【００３１】
[31]上述された方法、装置、または非一時的コンピュータ可読媒体のいくつかの例では、第２の制御情報の第２のサブセットは、ワイヤレス送信サブフレームの第２のスロットにおいて送信される物理ダウンリンク制御チャネル（ＰＤＣＣＨ）情報または物理制御フォーマットインジケータチャネル（ＰＣＦＩＣＨ）情報のうちの１つまたは複数を備える。
【００３２】
[32]上の記載は、以下の詳細な説明がよりよく理解され得るように、本開示に従った例の特徴および技術的利点を、ある程度広く概説したものである。追加の特徴および利点が以下に説明されることになる。開示される概念および具体的な例は、本開示と同じ目的を実行するために、他の構造を修正または設計するための基礎として容易に利用され得る。このような同等の構成体（construction）は、添付の特許請求の範囲から逸脱しない。本明細書に開示される概念の特性は、関連する利点とともに、それらの構成および動作の方法の両方に関して、添付の図に関連して検討されたとき、以下の説明からより一層理解されるであろう。これらの図の各々は、例示および説明の目的のためだけに提供され、特許請求の範囲の限定の定義として提供されるものではない。
【図面の簡単な説明】
【００３３】
[33]本発明の本質および利点のさらなる理解は、以下の図面を参照することによって実現され得る。添付された図において、類似のコンポーネントまたは機能は、同じ参照ラベルを有することができる。さらに、同じタイプの様々なコンポーネントは、参照ラベルに、ハイフンと、類似のコンポーネントを区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【図１】本開示の様々な態様にしたがって、複数のＴＴＩ長さを持つ制御チャネルシグナリングをサポートするワイヤレス通信システムの例を例示する。
【図２】本開示の様々な態様にしたがって、複数のＴＴＩ長さを持つ制御チャネルシグナリングをサポートするワイヤレス通信システムの例を例示する。
【図３】本開示の様々な態様にしたがって、複数のＴＴＩ長さを持つ制御チャネルシグナリングをサポートするワイヤレスサブフレームの例を例示する。
【図４】本開示の様々な態様にしたがって、複数のＴＴＩ長さを持つ制御チャネルシグナリングをサポートするワイヤレスサブフレームの別の例を例示する。
【図５】本開示の様々な態様にしたがって、複数のＴＴＩ長さを持つ制御チャネルシグナリングをサポートするアップリンクおよびダウンリンク通信の例を例示する。
【図６】本開示の様々な態様にしたがって、複数のＴＴＩ長さを持つ制御チャネルシグナリングをサポートするアップリンクおよびダウンリンク通信の別の例を例示する。
【図７】本開示の様々な態様にしたがって、複数のＴＴＩ長さを持つ制御チャネルシグナリングをサポートするアップリンクおよびダウンリンク通信の別の例を例示する。
【図８】本開示の様々な態様にしたがって、複数のＴＴＩ長さを持つ制御チャネルシグナリングをサポートするアップリンクおよびダウンリンク通信の別の例を例示する。
【図９】本開示の様々な態様にしたがって、複数のＴＴＩ長さを持つ制御チャネルシグナリングをサポートするワイヤレスサブフレームの例を例示する。
【図１０】本開示の様々な態様にしたがって、複数のＴＴＩ長さを持つ制御チャネルシグナリングをサポートするシステムにおける処理フローの例を例示する。
【図１１】本開示の様々な態様にしたがって、複数のＴＴＩ長さを持つ制御チャネルシグナリングをサポートするワイヤレスデバイスのブロック図を示す。
【図１２】本開示の様々な態様にしたがって、複数のＴＴＩ長さを持つ制御チャネルシグナリングをサポートするワイヤレスデバイスのブロック図を示す。
【図１３】本開示の様々な態様にしたがって、複数のＴＴＩ長さを持つ制御チャネルシグナリングをサポートするワイヤレスデバイスのブロック図を示す。
【図１４】本開示の様々な態様にしたがって、複数のＴＴＩ長さを持つ制御チャネルシグナリングをサポートするＵＥを含むシステムのブロック図を例示する。
【図１５】本開示の様々な態様にしたがって、複数のＴＴＩ長さを持つ制御チャネルシグナリングのｔめの方法を例示する。
【図１６】本開示の様々な態様にしたがって、複数のＴＴＩ長さを持つ制御チャネルシグナリングのｔめの方法を例示する。
【図１７】本開示の様々な態様にしたがって、複数のＴＴＩ長さを持つ制御チャネルシグナリングのｔめの方法を例示する。
【図１８】本開示の様々な態様にしたがって、複数のＴＴＩ長さを持つ制御チャネルシグナリングのｔめの方法を例示する。
【図１９】本開示の様々な態様にしたがって、複数のＴＴＩ長さを持つ制御チャネルシグナリングのｔめの方法を例示する。
【発明の詳細な説明】
【００３４】
[47]あるワイヤレス通信アプリケーションは、本質においてバースト的であり得る。特定のユーザ機器（ＵＥ）は、たとえば、データを送るまたは受信することなしに相対的に長い期間動作し、その結果、データの相対的に大きな量またはバーストは、ＵＥへの送信のために列を作り得る。データは、乗り物通信システム（vehicle communication system）、ゲーミングアプリケーション、または不寛容な遅延である他のインプリメンテーションのような、レイテンシに影響を受けるアプリケーションに関連付けられ得る。基地局は、いくつかの例では、ＵＥとの通信のために複数の異なる送信時間期間（ＴＴＩ）を構成し得る。いくつかの例では、ワイヤレスサブフレームは、１ｍｓサブフレームであり、各々０．５ｍｓである２つのスロットを包含し得る。いくつかの例は、０．５ｍｓ（またはスロット）ＴＴＩについての異なる制御情報と共に（レガシーの）１ｍｓＴＴＩについての制御情報送信を提供する。制御情報は、たとえば、物理ダウンリンク制御チャネル（ＰＤＣＣＨ）または拡張ＰＤＣＣＨ（ｅＰＤＣＣＨ）のような、制御情報の通信のために確立される制御チャネルリソースを使用して送信され得る。制御チャネル内の異なるリソースは、異なるＴＴＩ送信の間に制御情報を提供するように構成され得る。
【００３５】
[48]いくつかの例では、１ｍｓＴＴＩについての制御情報は、リソースの第１のセット中に位置し、０．５ｍｓ  ＴＴＩについての制御情報は、リソースの第２のセット中に位置し得る。いくつかの例では、リソースの第１のセットは、１ｍｓ制御情報を識別するようにユーザ機器（ＵＥ）によって探索され得る第１の探索空間内に位置し得る。リソースの第２のセットは、０．５ｍｓ制御情報を識別するようにＵＥによって探索され得る第２の探索空間内に位置し得る。いくつかの例では、第２の探索空間は、ずっと第１の探索空間のサブセットであるような、第１の探索空間に基づいて決定され得る、または別の方法で第１の探索空間のサブセットに基づいて導出され得る。いくつかの例では、制御情報を決定するために第１または第２の探索空間のブラインド復号することは、復号候補の制限されたセットまたは構成されたハイブリッド自動再送要求（ＨＡＲＱ）ラウンドトリップ時間（ＲＴＴ）に基づき得る。
【００３６】
[49]本明細書に記述されるように、ローレイテンシＴＴＩ（ｌｏｗ  ｌａｔｅｎｃｙ  ＴＴＩ）を使用する制御情報の通信のための利用可能なリソースおよびパラメータは、他のリソース、より長い持続時間ＴＴＩに関して決定され得る。システムは、より長い持続時間ＴＴＩで同時動作をサポートするためにローレイテンシＴＴＩを構成し得る。例えば、ローレイテンシデータ送信のために利用可能なリソースは、シンボル依存であり得る。より長い持続時間ＴＴＩのシンボルがセカンダリ同期信号（ＳＳＳ）または物理ブロードキャストチャネル（ＰＢＣＨ）情報を含むかどうかは、ローレイテンシＴＴＩ制御情報のために利用可能なリソースに影響を与え得、ＰＢＣＨ情報を持つリソースまたはＳＳＳは、探索空間から除外され得る。
【００３７】
[50]上で導入された本開示の態様は、ワイヤレス通信システムのコンテキストにおいてい以下で説明される。ワイヤレス通信システムは、基地局およびＵＥを含み得、本明細書で説明されるように、それら両方が複数のＴＴＩ持続時間のうちの１つまたは複数を使用して通信するように構成可能である。本開示の態様はさらに、複数のＴＴＩ長さを持つ制御チャネルシグナリングに関する装置の図、システムの図、およびフローチャートを参照して説明されるおよびそれらによって例示される。
【００３８】
[51]図１は、本開示の様々な態様によるワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−アドバンスト（ＬＴＥ−Ａ）ネットワークであり得る。ワイヤレス通信システム１００は、本明細書で説明するように、ローレイテンシアプリケーションをサポートし、複数のＴＴＩ長さで通信し得る。加えて、ワイヤレス通信システム１００は、ローレイテンシアプリケーションおよび複数のＴＴＩ長さ動作についての複数のＨＡＲＱ  ＲＴＴ得る。
【００３９】
[52]基地局１０５は、１つまたは複数の基地局アンテナを介してＵＥ１１５とワイヤレスに通信し得る。各基地局１０５は、それぞれの地理的なカバレッジエリア１１０に対して通信カバレッジを提供し得る。ワイヤレス通信システム１００中に示される通信リンク１２５は、ＵＥ１１５から基地局１０５へのアップリンク送信、または基地局１０５からＵＥ１１５へのダウンリンク送信を含み得る。ＵＥ１１５は、ワイヤレス通信システム１００全体にわたって分散され得、各ＵＥ１１５は、固定またはモバイルであり得る。ＵＥ１１５はまた、モバイル局、加入者局、リモートユニット、ワイヤレスデバイス、アクセス端末、ハンドセット、ユーザエージェント、クライアント、または同様の専門用語で呼ばれ得る。ＵＥ１１５はまた、携帯電話、ワイヤレスモデム、ハンドヘルドデバイス、パーソナルコンピュータ、タブレット、パーソナル電子デバイス、マシンタイプ通信（ＭＴＣ）デバイス、等であり得る。
【００４０】
[53]基地局１０５は、コアネットワーク１３０と、および互いに通信し得る。例えば、基地局１０５は、バックホールリンク１３２（例えば、Ｓ１）を通じてコアネットワーク１３０とインターフェースし得る。基地局１０５は、（例えば、コアネットワーク１３０を通じて）直接的にまたは間接的にのいずれかで、バックホールリンク１３４（例えば、Ｘ２）を介して互いに通信し得る。基地局１０５は、ＵＥ１１５との通信のために無線構成およびスケジューリングを実行し得るか、または基地局コントローラ（図示せず）の制御下で動作し得る。様々な例では、基地局１０５は、マクロセル、スモールセル、ホットスポット、等であり得る。基地局１０５はまた、ｅノードＢ（ｅＮＢ）１０５と呼ばれ得る。
【００４１】
[54]ワイヤレス通信システム１００内でのデータ通信は、論理チャネル、トランスポートチャネル、および物理（ＰＨＹ）レイヤチャネルに分けられ、それらに関して説明され得る。チャネルは、制御チャネルおよびトラフィックチャネルに分類され得る。論理制御チャネルは、ページング情報のためのページング制御チャネル（ＰＣＣＨ）、ブロードシステム制御情報のためのブロードキャスト制御チャネル（ＢＣＣＨ）、マルチメディアブロードキャストマルチキャストサービス（ＭＢＭＳ）スケジューリングおよび制御情報を送信するためのマルチキャスト制御チャネル（ＭＣＣＨ）、専用制御情報を送信するための専用制御チャネル（ＤＣＣＨ）、ランダムアクセス情報のための共通制御チャネル（ＣＣＣ）、専用ＵＥデータのための専用トラフィックチャネル（ＤＴＣＨ）、およびマルチキャストデータのための、マルチキャストトラフィックチャネル（ＭＴＣＨ）を含み得る。
【００４２】
[55]ＤＬトランスポートチャネルは、ブロードキャスト情報のためのブロードキャストチャネル（ＢＣＨ）、データ転送のためのダウンリンク共有チャネル（ＤＬ−ＳＣＨ）、ページング情報のためのページングチャネル（ＰＣＨ）、およびマルチキャスト送信のためのマルチキャストチャネル（ＭＣＨ）を含み得る。［００５４］ＵＬトランスポートチャネルは、アクセスのためのランダムアクセスチャネル（ＲＡＣＨ）およびデータのためのアップリンク共有チャネル（ＵＬ−ＳＣＨ）を含み得る。
【００４３】
[56]ＤＬ物理チャネルは、ブロードキャスト情報のための物理ブロードキャストチャネル（ＰＢＣＨ）、制御フォーマット情報のための物理制御フォーマットインジケータチャネル（ＰＣＦＩＣＨ）、制御およびスケジューリング情報のための物理ダウンリンク制御チャネル（ＰＤＣＣＨ）、ＨＡＲＱ状態メッセージのための物理ダウンリンク制御チャネル（ＰＨＩＣＨ）、ユーザデータのためのダウンリンク共有チャネル（ＰＤＳＣＨ）、およびマルチキャストデータのための物理マルチキャストチャネル（ＰＭＣＨ）を含み得る。ＵＬ  ＰＨＹチャネルは、アクセスメッセージのための物理ランダムアクセスチャネル（ＰＲＡＣＨ）、制御データのための物理アップリンク制御チャネル（ＰＵＣＣＨ）、ユーザデータのための物理アップリンク共有チャネル（ＰＵＳＣＨ）を含み得る。
【００４４】
[57]ＰＤＣＣＨは、レガシー動作では、少なくとも１つの制御チャネル要素ＣＣＥ中に含まれるダウンリンク制御情報（ＤＣＩ）を搬送し、それは、９つの論理的に連続したリソース要素グループ（ＲＥＧ）から成り得、ここで、各ＲＥＧは、４つのＲＥを包含する。現在の開示のいくつかの例では、ＤＣＩのフォーマットは、本明細書で議論されることになるように、スロットＴＴＩのためと異なる１ｍｓ  ＴＴＩのためのものである。ＤＣＩは、ＤＬスケジューリング割り当て、ＵＬリソース許可、送信スキーム、ＵＬ電力制御、ハイブリッド自動再送要求（ＨＡＲＱ）情報、ＭＣＳおよび他の情報に関する情報を含む。ＤＣＩメッセージのサイズおよびフォーマットは、ＤＣＩによって搬送される情報のタイプおよび量によって異なることができる。
【００４５】
[58]ＰＤＣＣＨは、複数のユーザに関連付けられたＤＣＩメッセージを搬送することができ、各ＵＥ１１５は、それのために意図されたＤＣＩメッセージを復号し得る。たとえば、各ＵＥ１１５は、各ＵＥ１１５は、セル−無線ネットワーク一時識別子（Ｃ−ＲＮＴＩ）を割り当てられ、各ＤＣＩに付属している巡回冗長検査（ＣＲＣ）ビットは、Ｃ−ＲＮＴＩに基づいて暗号化され得る。ＵＥでの電力消費およびオーバーヘッドを低減するために、ＣＣＥロケーションの限定されたセットは、特定のＵＥに関連付けられたＤＣＩのために指定され、それは、探索空間と呼ばれ得る。ＣＣＥは、（たとえば、１、２、４、および８ＣＣＥのグループに）グループ化され、ＵＥが関連のあるＤＣＩを見出し得るＣＣＥロケーションのセットを含み得る探索空間が、指定され得る。ＵＥ１１５は、ＤＣＩの異なるフォーマットに関連付けられた復号候補を使用して、ブラインド復号として知られる処理を実行することによってＤＣＩを復号するように試み得る。いくつかの場合では、スロットＴＴＩの制御部分は、クイックＰＤＣＣＨ（ＱＰＤＣＣＨ）を含み得、それは、スロットＴＴＩ通信に関する情報であり得る。
【００４６】
[59]ワイヤレス通信システム１００内での通信のための時間間隔は、基本時間ユニットの倍数（たとえば、サンプリング期間、Ｔｓ＝１／３０，７２０，０００秒）で表され得る。時間リソースは、１０ｍｓの長さの無線フレーム（Ｔｆ＝３０７２００Ｔｓ）に従って編成され得、それは、０から１０２３の範囲のシステムフレーム数（ＳＦＮ）によって識別され得る。各フレームは、０から９の番号が付された１０個の１ｍｓサブフレームを含み得る。サブフレームは、２つの０．５ｍｓスロットにさらに分割され、それらの各々は、（各シンボルの前に付加されるサイクリックプリフィックス（ＣＰ）の長さによる）２つ以上の変調シンボル期間を包含する。ＣＰを除いて、各シンボルは、２０４８個のサンプル期間を包含する。様々な例では、レガシーまたは１ｍｓ  ＴＴＩ通信は、最小のスケジューリングユニットまたはＴＴＩとしてサブフレームを使用し得る。さらに、上で示されるように、ワイヤレス通信システム１００は、１つのサブフレームの持続時間も、０．５ｍｓまたはスロットＴＴＩ（またはより短いＴＴＩ）のような、より短い持続時間も有するＴＴＩをサポートし得、それは、１つのＬＴＥサブフレーム（たとえば、１スロット）未満の持続時間を有し得る。様々な例では、ワイヤレス通信システム１００は、持続時間中の少なくとも２つのＬＴＥシンボル期間である第１の持続時間と第１の持続時間未満である第２の持続時間とを含む−２つ以上のＴＴＩ持続時間をサポートする。
【００４７】
[60]ワイヤレス通信システム１００は、データがワイヤレス通信リンク１２５を通して正確に受信される可能性を増大させる方法、ＨＡＲＱを採用し得る。ＨＡＲＱは、（たとえば、ＣＲＣを使用する）誤り検出、前方向誤り訂正（ＦＥＣ）、および再送信（たとえば、自動再送要求（ＡＲＱ））の組み合わせを含み得る。ＨＡＲＱは、貧弱な無線条件（たとえば、信号対雑音条件）でのＭＡＣレイヤにおけるスループットを改善し得る。増分的冗長ＨＡＲＱ（Incremental Redundancy HARQ）では、データを成功裏に復号する全体的な可能性を改善するために、不正確に受信されたデータがバッファ中に記憶され、後続の送信と組み合わされ得る。いくつかの場合では、冗長ビットは、送信より前に各メッセージに追加され得る。これは、貧弱な条件において有用であり得る。他の場合では、冗長ビットは、各送信に追加されないが、情報を復号することに失敗した試みを示す否定応答（ＮＡＣＫ）を元のメッセージの送信機が受信した後で再送信される。送信、応答、および再送信のチェーンは、ＨＡＲＱプロセスと呼ばれ、送信と、不成功に受信したデータの再送信の開始との間の合計時間は、ラウンドトリップ時間（ＲＴＴ）と呼ばれ得る。いくつかの場合では、ＨＡＲＱプロセスの限定された数が所与の通信リンク１２５のために使用され得る。
【００４８】
[61]いくつかの例では、ＨＡＲＱプロセスは、ＮＡＣＫが送信機によって受信されたときに全体のトランスポートブロックが再送信される、トランスポートブロックレベルで実行され得る。複数のＴＴＩ割り当てでは、新規データのための別個のインジケータは、割り当てにおける各トランスポートブロック（ＴＢ）のために使用され得る。あるいは、いくつかの例では、単一新規データインジケータは、割り当てのすべてのＴＢのために使用され得る。他の場合では、複数のＴＴＩスケジューリングは、いくつかの例では、再送信が個々の割り当てに限定されるような、新規送信のみに使用され得る。
【００４９】
[62]いくつかの例では、トランスポートブロックは、１つまたは複数のコード化ブロックに分割され得、且つＨＡＲＱプロセスは、コード化ブロックレベルで実行され得、ここで、１つまたは複数のコード化ブロック（たとえば、受信機によって不成功に復号された１つまたは複数のコード化ブロック）は、ＮＡＣＫが送信機によって受信されたときに再送信される。ローレイテンシＴＴＩのためのコード化ブロックレベルＨＡＲＱプロセスのためのしきい値は、より長い持続時間ＴＴＩと異なり得る（たとえば、ＬＴＥでみられるような、６１４４ビットと異なる可能性がある）。
【００５０】
[63]いくつかの例は、異なる、レガシーＴＴＩのためのＨＡＲＱ  ＲＴＴおよびスロットＴＴＩのためのＨＡＲＱ  ＲＴＴを用い得る。たとえば、レガシーＴＴＩについてのＨＡＲＱ  ＲＴＴは、８ｍｓであり、スロットＴＴＩについてのＨＡＲＱ  ＲＴＴは、４ｍｓであり得る。他の例では、１ｍｓおよびスロットＴＴＩの両方が使用される場合、ＵＥの能力に依存して、スロットＴＴＩ  ＨＡＲＱ  ＲＴＴは、２ｍｓ、３ｍｓ、または４ｍｓであり得、１ｍｓ  ＨＡＲＱ  ＲＴＴは、４ｍｓであ得る。
【００５１】
[64]いくつかの場合では、ワイヤレス通信システム１００は、１つまたは複数の拡張コンポーネントキャリア（ｅＣＣ）を利用し得る。ｅＣＣは、柔軟な帯域幅、異なる送信時間間隔（ＴＴＩ）、および修正された制御チャネル構成を含む１つまたは複数の特徴によって特徴付けられ得る。いくつかの場合では、ｅＣＣは、（たとえば、複数のサービングセルが準最適バックホールリンクを有するとき）デュアルコネクティビティ構成またはキャリアアグリゲーション（ＣＡ）構成に関連付けられ得る。ｅＣＣはまた、（例えば、１人より多くのオペレータがスペクトルを使用することを認可されている）共有スペクトルまたは無認可スペクトルで使用するために構成され得る。柔軟な帯域幅によって特徴付けられるｅＣＣは、（例えば、電力を節約するために）限定された帯域幅を使用することを好むか、または帯域幅全体をモニタすることが可能でないＵＥ１１５によって利用されうる１つまたは複数のセグメントを含み得る。
【００５２】
[65]そのようなワイヤレス通信システム１００は、複数のレイテンシモードを同時にサポートし得る。ワイヤレス通信システム１００の１つのレイテンシモードに従って制御情報通信のための利用可能なリソースおよびパラメータは、ワイヤレス通信システム１００の別のレイテンシモードのために使用されるリソースについて決定され得る。たとえば、ＵＥ１１５は、スロットＴＴＩ制御情報についての異なる探索空間を決定するために１ｍｓ  ＴＴＩ制御情報についての探索空間を使用し得る。たとえば、スロットＴＴＩ制御情報についての探索空間は、１ｍｓ  ＴＴＩ制御情報についての探索空間のサブセットであり、探索空間は、１ｍｓ  ＴＴＩ技法に基づいて決定され、１ｍｓ  ＴＴＩ探索空間とスロットＴＴＩ探索空間との間で分割され得る、またはスロットＴＴＩ探索空間は、１ｍｓ探索空間からのオフセットを通じて、分離ＲＮＴＩを通じて、異なるランダムシードを通じて、あるいは任意のこれらの組み合わせのような１ｍｓ  ＴＴＩ探索空間に関連付けられ得る。ＵＥ１１５は、１ｍｓＴＴＩ制御情報およびスロット  ＴＴＩ制御情報についての探索空間を決定し、制御情報を識別するために探索空間にわたってブラインド復号を実行し得る。１ｍｓまたはスロットＴＴＩのスケジューリングは、ＵＥ固有であり動的または準静的に示され得る。
【００５３】
[66]図２は、複数のＴＴＩ長さを持つ制御チャネルシグナリングをサポートするワイヤレス通信システム２００の例を例示する。ワイヤレス通信システム２００は、図１を参照して説明された対応するデバイスの例である、基地局１０５−ａおよびＵＥ１１５−ａを含み得る。ワイヤレス通信システム２００は、ワイヤレス通信システム１００の態様を例示し得る。たとえば、ワイヤレス通信システム２００は、ＵＥ１１５−ａおよび基地局１０５−ａを含み得、それらは、図１を参照して説明されたＵＥ１１５または基地局１０５の例であり得る。基地局１０５−ａは、通信リンク２０５を介してＵＥ１１５−ａと通信し、図１を参照して説明されるように、複数の持続時間ＴＴＩの間にＵＥ１１５−ａに制御情報を送信し得る。
【００５４】
[67]フレーム構造は、物理リソースを編成するようにワイヤレス通信システム２００内で使用され得る。フレームは、１０ｍｓ間隔であり、１０個の等しいサイズのサブフレームまたはＴＴＩに分割され得る。各サブフレームは、２つの連続したタイムスロットを含み得る。各スロットは、６または７個のＯＦＤＭＡシンボル期間を含み得る。リソース要素は、１つのシンボル期間および１つのサブキャリア（たとえば、１５ＫＨｚ周波数範囲）から成る。リソースブロックは、周波数ドメイン中に１２個の連続するサブキャリアを包含し、各ＯＦＤＭシンボル中の通常のサイクリックプレフィックスでは、時間ドメイン中の１つのスロット（８４個のリソース要素）に７個の連続するＯＦＤＭシンボルを含み得る。ワイヤレス通信システム２００によって利用され得るＴＴＩの更なる詳細は、図３−図４によって例示され、それらの図を参照して説明される。
【００５５】
[68]いくつかの場合では、１ｍｓ長さのＴＴＩ２１０は、ＬＴＥサブフレームであり、ショートＴＴＩ２１５でもあり得る。ショートＴＴＩ２１５は、０．５ｍｓまたはスロット期間のような、固定長さのＴＴＩ２１０より短い長さ（たとえば、持続時間）を有し得る。ショートＴＴＩ２１５は、いくつかの展開では、ローレイテンシ動作のために採用され得る。いくつかの場合では、より短い長さのＴＴＩを使用することは、無線レイテンシを低減し得る。たとえば、ショートＴＴＩ２１５は、１ｍｓ長さのＴＴＩ２１０のような非ローレイテンシＴＴＩと比べるとＨＡＲＱレイテンシを低減するのを助け得る。
【００５６】
[69]いくつかの例では、スロットレベルのショートＴＴＩ２１５は、ＬＴＥ／ＬＴＥ−Ａニューメロロジー（numerology）に従い、後方互換性があり、送信されるサブフレームが１ｍｓ  ＴＴＩ送信およびスロットＴＴＩ送信の両方を含み得る１−ｍｓ  ＬＴＥトラフィックと共存し得る。いくつかの例では、スロットレベルＴＴＩは、既存の、ブロードキャスト、ランダムアクセス、およびハンドオーバプロシージャ、およびＬＴＥ／ＬＴＥ−Ａの他のプロシージャも再利用し得る。いくつかの例では、１ｍｓ  ＴＴＩ送信とスロットＴＴＩ送信との両方のための制御情報は、（クイックＰＤＣＣＨ（ＱＰＤＣＣＨ）またはクイックｅＰＤＣＣＨ（ＱｅＰＤＣＣＨ）と呼ば得る）スロットベースｅＰＤＣＣＨまたはＰＤＣＣＨを使用し得る。いくつかの例では、レガシー制御領域におけるＰＨＩＣＨは、スロット０およびスロット１アップリンクデータ送信のために使用され得る。リソース割り振り、トランスポートブロックサイズ（ＴＢＳ）決定、およびリンクへの調整は、いくつかの展開では、スロットＴＴＩ送信においてインプリメントされ得る。
【００５７】
[70]上で示されるように、スロットレベルＴＴＩについての制御情報は、ＰＤＣＣＨベースのシグナリングを使用して提供され得る。本明細書で説明される様々な例は、スロットレベルＴＴＩについての制御情報を提供するために、ＰＤＣＣＨ／ｅＰＤＣＣＨベースのシグナリングに１つまたは複数の修正を提供する。いくつかの例では、制御情報は、サブフレームのスロット０におけるレガシー制御領域（たとえば、スロット０のシンボル０におけるＰＤＣＣＨ送信）を再利用し得る。スロット０におけるスロットベースのＴＴＩ共有チャネル送信（たとえば、クリックＰＤＳＣＨまたはＱＰＤＳＣＨ送信）は、ＱＰＤＣＣＨによってスケジュールされ得る。いくつかの例では、ＱＰＤＣＣＨ送信は、ＰＤＣＣＨ  ＣＣＥ構造を再利用し、他のレガシー制御チャネルと完全に多重化され得る。いくつかの例は、スロット０を示す新規ＤＣＩを提供し、スロット対サブフレームＴＴＩスケジューリング割り当てを区別し得る。他の例では、ＰＤＣＣＨ送信は、サブフレームにおける両方のスロットのためのサブフレームＴＴＩ割り当てとスロットＴＴＩ割り当てとの両方についての許可を含み得る。このような技法は、ＰＤＣＣＨとＱＰＤＣＣＨの多重化もＰＤＳＣＨ／ｅＰＤＣＣＨとＱＰＤＳＣＨの周波数分割多重（ＦＤＭ）も認め得る。
【００５８】
[71]図３は、複数のＴＴＩ長さを持つ制御チャネルシグナリングのためのサブフレーム３００の例を例示する。いくつかの場合では、サブフレーム３００は、図１−図２を参照して説明されるように、ＵＥ１１５または基地局１０５によって実行される技法の態様に従う１ｍｓ  ＴＴＩ送信およびスロットＴＴＩ送信を含み得る。図３の例では、サブフレーム３００は、１ｍｓ  ＴＴＩ持続時間３０５に対応する１ｍｓ持続時間３０５を有し得る。サブフレーム３００は、スロット０  ３１５とスロット１  ３２５とを含み、それらはそれぞれ、第１のスロットＴＴＩ３１０および第２のスロットＴＴＩ３２０に対応し得る。サブフレーム３００は、システム帯域幅３３０を使用して送信され、ノーマルＣＰを表す、１４個のシンボルを有し得る。レガシー制御領域３３５は、第１のシンボルを占有し得、ｅＰＤＣＣＨ３４０は、スロット０  ３１５とスロット１  ３２５との両方にわたるリソースを占有し得、共有チャネル送信、またはＰＤＣＣＨあるいはｅＰＤＣＣＨによって割り当てられた通常のＰＤＳＣＨ３７０についての制御情報を含み得る。第１のスロットＴＴＩ３１０は、ＱｅＰＤＣＣＨ１およびＱｅＰＤＣＣＨ２リソース３４５を通じて２つのダウンリンク共有チャネル割り当てについての制御情報を含み得る。この例では、ＱｅＰＤＣＣＨ１は、ＱＰＤＳＣＨ１  ３５０のための制御情報を包含し、ＱｅＰＤＣＣＨ２は、ＱＰＤＳＣＨ２  ３５５についての制御情報を包含し得る。図３の例では、第２のスロットＴＴＩ３２０は、（ＤＬのための）ＱｅＰＤＣＣＨ３および（ＵＬのための）ＱｅＰＤＣＣＨ４リソース３６０を通じて、第３のダウンリンク共有チャネル割り当ておよびアップリンク割り当てについての制御情報を含み得る。この例では、ＱｅＰＤＣＣＨ３は、スロット１  ３２５のＱＰＤＳＣＨ３６５のための制御情報を包含し、ＱＰＤＳＣＨ４は、関連したアップリンク送信のあｔめの制御情報を包含し得る。したがって、この例では、ＱｅＰＤＣＣＨおよびＱＰＤＳＣＨとのＦＤＭが提供される。
【００５９】
[72]他の例では、ＦＤＭは、ＰＤＣＣＨ、ＱＰＤＣＣＨ、およびＱＰＤＳＣＨ送信ために使用され得る。図４は、複数のＴＴＩ長さを持つ制御チャネルシグナリングのためのサブフレーム４００を持つ、このような例を例示する。いくつかの場合では、サブフレーム４００は、図１−図２を参照して説明されるように、ＵＥ１１５または基地局１０５によって実行される技法の態様に従う１ｍｓ  ＴＴＩ送信およびスロットＴＴＩ送信を含み得る。図４の例では、サブフレーム４００は、１ｍｓＴＴＩ持続時間４０５に対応する１ｍｓ持続時間４０５を有し得る。サブフレーム４００は、スロット０  ４１５とスロット１  ４２５を含み、それらはそれぞれ、第１のスロットＴＴＩ４１０および第２のスロットＴＴＩ４２０に対応し得る。サブフレーム４００は、システム帯域幅４３０を使用して送信され、ノーマルＣＰを表す、１４個のシンボルを有し得る。
【００６０】
[73]この例では、スロット０  ４１５のシンボル０は、ＰＤＣＣＨ，レガシー制御、およびＱＰＤＣＣＨリソース４３５を含み、これは、ＦＤＭを使用してリソースを割り振られ得る。ｅＰＤＣＣＨ４４０は、スロット０  ４１５とスロット１  ４２５との両方にわたるリソースを占有し得、共有チャネル送信、またはＰＤＣＣＨあるいはｅＰＤＣＣＨによって割り当てられた通常のＰＤＳＣＨ４６０についての制御情報を含み得る。第１のスロットＴＴＩ４１０は、ＱＰＤＣＣＨ中に割り当てられ得るＱＰＤＳＣＨリソース４４５を含み得る。図４の例では、第２のスロットＴＴＩ４２０は、ＱｅＰＤＣＣＨリソース４５０中に制御情報を含み得る。この例では、ＱｅＰＤＣＣＨ１  ４５０は、スロット１  ４２５のＱＰＤＳＣＨ１  ４５５についての制御情報を包含し得る。したがって、この例では、ＰＤＣＣＨ、ＱＰＤＣＣＨ、ＱｅＰＤＣＣＨおよびＱＰＤＳＣＨとのＦＤＭが提供される。
【００６１】
[74]図５は、複数のＴＴＩおよび関連する制御チャネルシグナリングをサポートするＵＬおよびＤＬ送信５００の例を例示する。いくつかの場合では、方法５００は、図１−図２を参照して説明されるように、ＵＥ１１５または基地局１０５によって実行される技法の態様を表し得る。図５はまた、いくつかの例に従う１ｍｓ  ＴＴＩおよびスロットＴＴＩに関連付けられたＨＡＲＱタイミングおよびＲＴＴを例示する。レガシーＬＴＥでは、送信についてのＨＡＲＱフィードバックは、ＨＡＲＱフィードバックに関連付けられた送信を含むＴＴＩ（ＴＴＩ  ｎ）からｎ＋４  ＴＴＩ離れた第１の利用可能なＴＴＩにおいて提供され得る。したがって、レガシーＬＴＥと、いくつかの例における１ｍｓ  ＴＴＩ送信は、８ｍｓのＨＡＲＱ  ＲＴＴを有し得る。いくつかの例では、スロットＴＴＩ送信は、ＨＡＲＱフィードバックの送信および後続の再送信のための同じ関係性に従い、したがって、４ｍｓのＨＡＲＱ  ＲＴＴおよび線形スケーリングを提供し得る。
【００６２】
[75]図５の、例では、基地局１０５−ｂは、ＤＬ送信５０５を送信し、ＵＥ１１５−ｂは、ＵＬ送信５１０を送信し得る。ＤＬ送信５０５およびＵＬ送信５１０は、１ｍｓ  ＴＴＩ送信およびスロットＴＴＩ送信の両方を含み得る。この例では、サブフレーム０は、スロット０およびスロット１を含み得、それらは、スロット０において第１のスロット送信５１５を含み、スロット１において第２のスロット送信５２０を含み得る、ＱＰＤＳＣＨ  ＤＬ送信５２５を含み得る。ＤＬ送信５０５は、１ｍｓ  ＴＴＩを使用し得るＰＤＳＣＨ送信５３０を含み得る。上で示されるように、ＵＥ１１５−ｂは、ＱＰＤＳＣＨ送信５２５を受信し、ＨＡＲＱフィードバックを提供し得る。この例では、ＱＰＵＣＣＨ  ＡＣＫ／ＮＡＣＫ送信５３５は、関連するＱＰＤＳＣＨ送信５２５の後の４スロットで、ＵＥ１１５−ｂによって送信され得る。基地局１０５−ｂは、ＱＰＵＣＣＨ  ＡＣＫ／ＮＡＣＫ送信５３５を受信し、必要とする場合、ＮＡＣＫフィードバックを有するデータのＱＰＤＳＣＨ送信５４０を送信し得る。スロットＴＴＩ長さが１ｍｓ  ＴＴＩ長さの半分であるので、この例のローレイテンシ（ＬＬ）ＨＡＲＱ  ＲＴＴ５４５は、１ｍｓ  ＴＴＩの半分、４ｍｓである。同様に１ｍｓ  ＴＴＩ  ＰＤＳＣＨ送信５３０は、レガシーＬＴＥ  ＨＡＲＱタイムラインに従ってＰＵＣＣＨ  ＡＫＣ／ＮＡＣＫフィードバック５５０を提供し得るＵＥ１１５−ｂで受信され得る。基地局１０５−ｂは、ＰＵＣＣＨ  ＡＣＫ／ＮＡＣＫ送信５５０を受信し、必要とする場合、ＮＡＣＫフィードバックを有するデータのＰＤＳＣＨＨ送信５５５を送信し得、したがって、レガシータイムラインに従って８ｍｓのＨＡＲＱ  ＲＴＴ５６０を提供する。したがって、スロットＴＴＩ送信は、低減されたＨＡＲＱ  ＲＴＴを有し、したがって、ＨＡＲＱフィードバックおよび関連する再送信のためのより小さいレイテンシを提供し得る。
【００６３】
[76]いくつかの例では、ＨＡＲＱ  ＲＴＴにおける２（８ｍｓ対４ｍｓ）削減という因数の代わりに、ＨＡＲＱ  ＲＴＴの追加の削減が構成され得る。図６は、複数のＴＴＩおよび関連する制御チャネルシグナリングをサポートするＵＬおよびＤＬ送信６００を示す、このような例を例示する。いくつかの場合では、方法６００は、図１−図２を参照して説明されるように、ＵＥ１１５または基地局１０５によって実行される技法の態様を表し得る。図６はまた、さらに低減されたスロットＴＴＩ  ＨＡＲＱ  ＲＴＴを持つ、１ｍｓ  ＴＴＩに関連付けられたＨＡＲＱタイミングおよびＲＴＴを例示する。この例では、スロットＴＴＩ送信は、１つのみのＴＴＩだけ離れているＤＬ送信およびＡＣＫ／ＮＡＣＫフィードバックを持ち、１つのＴＴＩだけ離れているＡＣＫ／ＮＡＣＫフィードバックおよび再送信の受信を持つＨＡＲＱフィードバックの送信を提供し得る。したがって、このような例では、スロットＴＴＩ送信は、２ｍｓのＨＡＲＱ  ＲＴＴで提供され得る。
【００６４】
[77]図６の、例では、基地局１０５−ｃは、ＤＬ送信６０５を送信し、ＵＥ１１５−ｃは、ＵＬ送信６１０を送信し得る。ＤＬ送信６０５およびＵＬ送信６１０は、１ｍｓ  ＴＴＩ送信およびスロットＴＴＩ送信の両方を含み得る。この例では、サブフレーム０は、スロット０およびスロット１を含み得、それらは、スロット０において第１のスロット送信６１５を含み、スロット１において第２のスロット送信６２０を含み得る、ＱＰＤＳＣＨ  ＤＬ送信６２５を含み得る。ＤＬ送信６０５は、１ｍｓ  ＴＴＩを使用し得るＰＤＳＣＨ送信６３０を含み得る。上で示されるように、ＵＥ１１５−ｃは、ＱＰＤＳＣＨ送信６２５を受信し、ＨＡＲＱフィードバックを提供し得る。この例では、ＱＰＵＣＣＨ  ＡＣＫ／ＮＡＣＫ送信６３５は、関連するＱＰＤＳＣＨ送信６２５の後の１つのスロットまたは１つのスロットギャップで、ＵＥ１１５−ｃによって送信され得る。基地局１０５−ｃは、ＱＰＵＣＣＨ  ＡＣＫ／ＮＡＣＫ送信６３５を受信し、必要とする場合、ＮＡＣＫフィードバックを有するデータのＱＰＤＳＣＨ送信６４０を送信し得る。スロットＴＴＩ長さが０．５ｍｓであるので、この例のＬＬ  ＨＡＲＱ  ＲＴＴ６４５は、２ｍｓである。図５に関して議論されたのと同様に、１ｍｓ  ＴＴＩ  ＰＤＳＣＨ送信６３０は、レガシーＬＴＥ  ＨＡＲＱタイムラインに従ってＰＵＣＣＨ  ＡＫＣ／ＮＡＣＫフィードバック６５０を提供し得るＵＥ１１５−ｃで受信され得る。基地局１０５−ｃは、ＰＵＣＣＨ  ＡＣＫ／ＮＡＣＫフィードバック６５０を受信し、必要とする場合、ＮＡＣＫフィードバックを有するデータのＰＤＳＣＨＨ送信６５５を送信し得、したがって、レガシータイムラインにしたがって８ｍｓのＨＡＲＱ  ＲＴＴ６６０を提供する。このようなＨＡＲＱタイムラインは、ＵＥ１１５−ｃおよび基地局１０５−ｃでの処理のためのより多くの挑戦的な要求を提供し、いくつかの例では、ＵＥは、ＵＥの能力に基づいてより短いＨＡＲＱ  ＲＴＴのために構成され得る。このようなスロットＴＴＩについてのＨＡＲＱタイムラインはまたは、（処理時間を効果的に低減する）可能なＵＬタイミングアドバンス上でのより多くの制限に帰着し、従って、そのような例のためのカバレッジエリアは、より長いＨＡＲＱタイムラインのための利用可能なカバレッジエリアと比較して低減され得る。
【００６５】
[78]上で示されるように、２ｍｓ  ＨＡＲＱタイムラインは、いくつかのＵＥに処理挑戦を提供し、また、低減されたカバレッジエリアに帰着し得る。いくつかの例では、スロットＴＴＩ  ＨＡＲＱタイムラインは、特定のＵＥ能力、カバレッジエリア要求、所与の時間での特定のトラフィック、他の要素、またはこれらの任意の組み合わせに基づいて選択され得る。たとえば、３ｍｓ  ＨＡＲＱ  ＲＴＴは、スロットＴＴＩ通信のために構成され得る。図７は、このようなＵＬおよびＤＬ送信７００の例を例示する。いくつかの場合では、方法７００は、図１−図２を参照して説明されるように、ＵＥ１１５または基地局１０５によって実行される技法の態様を表し得る。図７はまた、さらに低減されたスロットＴＴＩ  ＨＡＲＱ  ＲＴＴを持つ、１ｍｓ  ＴＴＩに関連付けられたＨＡＲＱタイミングおよびＲＴＴを例示する。この例では、スロットＴＴＩ送信は、３ｍｓのＨＡＲＱ  ＲＴＴを提供し得る。
【００６６】
[79]図７の、例では、基地局１０５−ｄは、ＤＬ送信７０５を送信し、ＵＥ１１５−ｄは、ＵＬ送信７１０を送信し得る。ＤＬ送信７０５およびＵＬ送信７１０は、１ｍｓ  ＴＴＩ送信およびスロットＴＴＩ送信の両方を含み得る。この例では、サブフレーム０は、スロット０およびスロット１を含み得、それらは、スロット０において第１のスロット送信７１５を含み、スロット１において第２のスロット送信７２０を含み得る、ＱＰＤＳＣＨ  ＤＬ送信７２５を含み得る。ＤＬ送信７０５は、１ｍｓ  ＴＴＩを使用し得るＰＤＳＣＨ送信７３０を含み得る。上で示されるように、ＵＥ１１５−ｄは、ＱＰＤＳＣＨ送信７２５を受信し、ＨＡＲＱフィードバックを提供し得る。この例では、ＱＰＵＣＣＨ  ＡＣＫ／ＮＡＣＫ送信７３５は、関連するＱＰＤＳＣＨ送信７２５の後の２つのスロットまたは２つのスロットギャップで、ＵＥ１１５−ｄによって送信され得る。基地局１０５−ｄは、ＱＰＵＣＣＨ  ＡＣＫ／ＮＡＣＫ送信７３５を受信し、必要とする場合、ＮＡＣＫフィードバックを有するデータのＱＰＤＳＣＨ送信７４０を送信し得る。スロットＴＴＩ長さが０．５ｍｓであるので、この例のＬＬ  ＨＡＲＱ  ＲＴＴ７４５は、３ｍｓである。図５に関して議論されたのと同様に、１ｍｓ  ＴＴＩ  ＰＤＳＣＨ送信７３０は、レガシーＬＴＥ  ＨＡＲＱタイムラインに従ってＰＵＣＣＨ  ＡＫＣ／ＮＡＣＫフィードバック７５０を提供し得るＵＥ１１５−ｄで受信され得る。基地局１０５−ｄは、ＰＵＣＣＨ  ＡＣＫ／ＮＡＣＫフィードバック７５０を受信し、必要とする場合、、ＮＡＣＫフィードバックを有するデータのＰＤＳＣＨＨ送信７５５を送信し得、したがって、レガシータイムラインに従って８ｍｓのＨＡＲＱ  ＲＴＴ７６０を提供する。このようなＨＡＲＱタイムラインは、ＵＥ１１５−ｄおよび基地局１０５−ｄでの処理のためのより多くの緩やかな要求を提供し、いくつかの例では、ＵＥは、ＵＥの能力に基づいてこのようなＨＡＲＱ  ＲＴＴのために構成され得る。
【００６７】
[80]さらなる例では、１ｍｓ  ＴＴＩ送信のためのＨＡＲＱ  ＲＴＴはまた、修正され得る。たとえば、スロットＴＴＩ送信は、低減されたＨＡＲＱ  ＲＴＴで構成され得、１ｍｓ  ＴＴＩ送信はまた、低減されたＨＡＲＱ  ＲＴＴで構成され得る。図８は、複数のＴＴＩおよび関連する制御チャネルシグナリングをサポートするＵＬおよびＤＬ送信８００のこのような例を例示する。いくつかの場合では、方法８００は、図１−図２を参照して説明されるように、ＵＥ１１５または基地局１０５によって実行される技法の態様を表し得る。図８はまた、さらに低減されたスロットＴＴＩ  ＨＡＲＱ  ＲＴＴを持つ、１ｍｓ  ＴＴＩに関連付けられた低減されたＨＡＲＱタイミングおよびＲＴＴを例示する。この例では、スロットＴＴＩ送信および１ｍｓ  ＴＴＩ送信の両方は、１つのみのＴＴＩだけ離れているＤＬ送信およびＡＣＫ／ＮＡＣＫフィードバックを持ち、１つのＴＴＩだけ離れているＡＣＫ／ＮＡＣＫフィードバックおよび再送信の受信を持つＨＡＲＱフィードバックの送信を提供し得る。したがって、このような例では、スロットＴＴＩ送信は、２ｍｓのＨＡＲＱ  ＲＴＴで提供され、１ｍｓ  ＴＴＩ送信は、４ｍｓのＨＡＲＱ  ＲＴＴで提供され得る。
【００６８】
[81]図８の、例では、基地局１０５−ｄは、ＤＬ送信８０５を送信し、ＵＥ１１５−ｅは、ＵＬ送信８１０を送信し得る。ＤＬ送信８０５およびＵＬ送信８１０は、１ｍｓ  ＴＴＩ送信およびスロットＴＴＩ送信の両方を含み得る。この例では、サブフレーム０は、スロット０およびスロット１を含み得、それらは、スロット０において第１のスロット送信８１５を含み、スロット１において第２のスロット送信８２０を含み得る、ＱＰＤＳＣＨ  ＤＬ送信８２５を含み得る。ＤＬ送信８０５は、１ｍｓ  ＴＴＩを使用し得るＰＤＳＣＨ送信８３０を含み得る。上で示されるように、ＵＥ１１５−ｅは、ＱＰＤＳＣＨ送信８２５を受信し、ＨＡＲＱフィードバックを提供し得る。この例では、ＱＰＵＣＣＨ  ＡＣＫ／ＮＡＣＫ送信８３５は、関連するＱＰＤＳＣＨ送信８２５の後の１つのスロットまたは１つのスロットギャップで、ＵＥ１１５−ｅによって送信され得る。基地局１０５−ｅは、ＱＰＵＣＣＨ  ＡＣＫ／ＮＡＣＫ送信８３５を受信し、必要とする場合、ＮＡＣＫフィードバックを有するデータのＱＰＤＳＣＨ送信８４０を送信し得る。スロットＴＴＩ長さが０．５ｍｓであるので、この例のＬＬ  ＨＡＲＱ  ＲＴＴ８４５は、２ｍｓである。さらに、この例では、１ｍｓ  ＴＴＩ  ＰＤＳＣＨ送信８３０は、関連したＰＤＳＣＨ送信８３０の後の１つのＴＴＩまたは１つのサブフレームギャップでＰＵＣＣＵ  ＡＣＫ／ＮＡＣＫフィードバック８５０を提供し得るＵＥ１１５−ｅで受信され得る。基地局１０５−ｅは、ＰＵＣＣＨ  ＡＣＫ／ＮＡＣＫ送信８５０を受信し、必要とする場合、ＰＵＣＣＨ  ＡＣＫ／ＮＡＣＫ送信８５０に続く１つのサブフレーム、１つのＴＴＩ、またはＮＡＣＫフィードバックを有するデータのＰＤＳＣＨ再送信８５５を送信し得、したがって４ｍｓのＨＡＲＱ  ＲＴＴ８６０を提供する。このようなＨＡＲＱタイムラインは、１ｍｓおよびスロットＴＴＩ送信の両方のためのより低いレイテンシを提供し得る。
【００６９】
[82]いくつかの例では、単一のＤＬ  ＨＡＲＱタイムラインは、スロットレベルＴＴＩのために構成され得、それは、レイテンシ要求、ＵＥ能力、および同様のものに基づいて選択され得る。対応するレガシーＰＤＳＣＨタイムラインはまだ、レガシー（８ｍｓ）または低減されたもの（たとえば、４ｍｓ）であり得、それは、ＵＥ基準毎に構成可能である。いくつかの例では、修正された１ｍｓ  ＴＴＩ  ＨＡＲＱタイムラインは、ＵＥ固有探索空間からスケジュールされたＰＤＳＣＨ送信の間にインプリメントされ得る。他の例では、複数のＤＬ  ＨＡＲＱタイムラインは、複数の異なるＵＥのために構成され、特定のＨＡＲＱタイムラインは、ＵＥ能力、動作条件、チャネル条件、トラフィック条件、またはこれらの任意の組み合わせに基づき得る。たとえば、２ｍｓ  ＲＴＴおよび４ｍｓ  ＲＴＴのような、２つのスロットＴＴＩ  ＨＡＲＱタイムラインが利用可能である場合、ＵＥは、基地局にその能力を示し得る。ＵＥが４ｍｓ  ＲＴＴ能力を示す場合、基地局は、４ｍｓ  ＲＴＴについてそのＵＥを構成し得る。スロットレベルＴＴＩについての２ｍｓ  ＲＴＴについての能力を示すＵＥについて、ＵＥは、スロットＴＴＩについて４ｍｓまたは２ｍｓの何れかを使用するように基地局によって構成されることができる。いくつかの例では、ＵＥはスロットレベルＴＴＩについての２ｍｓ  ＲＴＴが構成される場合、４ｍｓ  ＲＴＴまたは８ｍｓ  ＲＴＴが１−ｍｓベースのＴＴＩのために使用されるようにさらに構成されることができる。
【００７０】
[83]上で議論されるように、基地局（たとえば、図１−図８の基地局１０５）は、ダウンリンク制御チャネルを使用してスロットＴＴＩ送信および１ｍｓ  ＴＴＩについての制御情報を送信し得る。上でさらに示されるように、ＵＥは、制御情報を識別するために探索空間にわたってブラインド復号を実行し得る。いくつかの例では、ＱＰＤＣＣＨまたはＱｅＰＤＣＣＨ送信のためのブラインド復号は、ＵＥにスロットＴＴＩ制御情報についての信頼性のある復号することを提供するように構成され得る。いくつかの例では、スロットＴＴＩタイムラインに基づく比較的高い処理要求により、フォルスアラームを無視するように全くまたはほとんどプルーニング（ｐｒｕｎｉｎｇ）しないことを要求する、ＤＣＩ情報およびフォーマットのブラインド復号が提供され得る。レガシーＰＤＣＣＨでは、たとえば、ＵＥは、ＣＣごとに４４個までのブラインド復号（ｗ／ｏ  ＵＬ  ＭＩＭＯ）または６０個までのブラインド復号（ｗ／ＵＬ  ＭＩＭＯ）を実行し得る。加えて、ＵＥのために構成される３２個までのＣＣを持つｅＣＡの例について、タイムライン内でブラインド復号を実行するためのＵＥ能力を考慮すると、ＵＥのための復号候補は、低減されることができ、ＵＥベースごとに構成されるより高いレイヤ。いくつかの例では、スロットＴＴＩ制御チャネルは、復号候補の制限されたセット、制限された可能なＤＣＩサイズ、または任意のこれらの組み合わせで提供され得る。たとえば、スロットＴＴＩは、アグリゲーションレベルの制限されたセットおよび各アグリゲーションレベルについての復号候補の制限された数を有するように構成され得る。復号候補は、いくつかの例では、各ＣＣについてのＵＥベースで構成され得る。たとえば、ＵＥは、復号候補のセットおよびＤＣＩフォーマットに対する制約（たとえば、スロット毎および１つのみのＤＣＩフォーマットに６個の復号候補未満）で構成され得る。
【００７１】
[84]いくつかの例では、ＵＥは、復号候補のＨＡＲＱ  ＲＴＴ依存の制約で構成され得る。たとえば、ＵＥが４ｍｓ  ＨＡＲＱ  ＲＴＴで１ｍｓ  ＴＴＩ送信を有するように構成される場合、ブラインド復号の数は、元の４４／６６個のブラインド復号から低減され、スロットＴＴＩ送信について、２ｍｓ  ＨＡＲＱ  ＲＴＴおよび４ｍｓ  ＨＡＲＱ  ＲＴＴのための復号候補の制約を分離し得る。更なる例では、基地局は、スロットレベルＴＴＩがＵＥのために構成されるとき、１−ｍｓ  ＴＴＩ送信（ＰＤＣＣＨまたはｅＰＤＣＣＨ）のために制約されたブラインド復号候補を構成し得る。たとえば、ＣＣがスロットＴＴＩ無しで構成される場合、ＵＥは、ＰＤＣＣＨ／ｅＰＤＣＣＨについての４４／６０個までのブラインド復号を実行するように構成されるが、スロットＴＴＩが構成される場合、ＵＥは、ＣＣのためのサブフレームにおけるＰＤＣＣＨ／ｅＰＤＣＣＨについての３２／４８個までのブラインド復号、そして、ＣＣのためのサブフレームの各スロットにおけるＱＰＤＣＣＨ／ＱｅＰＤＣＣＨについての６個までのブラインド復号を実行するように構成され、このようにして、同じレベルでのブラインド復号の合計を維持する。別の例では、レガシーＴＴＩ  ＤＣＩは、共通探索空間においてのみモニタされる一方、ＵＥ固有探索空間は、スロットＴＴＩベースのＤＣＩのみを搬送し得る。
【００７２】
[85]上で議論したように、いくつかの例では、１ｍｓ  ＴＴＩ制御情報およびスロットＴＴＩ制御情報についての探索空間は、受信した制御情報についての探索空間をＵＥに提供するように構成され得る。レガシーＰＤＣＣＨ／ｅＰＤＣＣＨ送信について、探索空間は、ＵＥのＣ−ＲＮＴＩ、ランダムシード、および合計制御空間サイズによって導出され、アグリゲーションレベルの関数でもあり得る。いくつかの例では、スロットＴＴＩ制御情報は、ＱＰＤＣＣＨ／ＱＥＰＤＣＨ送信のための類似の同じメカニズムに従い得る。ある例では、ＱＰＤＣＣＨおよびＰＤＣＣＨは、ＱＰＤＣＣＨについての探索空間がＰＤＣＣＨについての識別された探索空間に基づいて決定される、相関のある探索空間を有し得る。いくつかの例では、ＱＰＤＣＣＨについての復号候補は、ＰＤＣＣＨについての復号候補のサブセットであり得る。いくつかの例では、ＰＤＣＣＨについての元の探索空間は、１つが１−ｍｓ  ＴＴＩのためであり、１つがスロットＴＴＩのためである、２つの部分に分かれることができる。サンプルの収集がＱＰＤＣＣＨおよびＰＤＣＣＨの両方についての復号のために使用されるので、ＱＰＤＣＣＨおよびＰＤＣＣＨについてこのような相関のある探索空間を有することは、ＵＥでの複雑性を低減するのに役立ち得る。従って、ＰＤＣＣＨのために定義された探索空間は、ＰＤＣＣＨおよびＱＰＤＣＣＨの両方のために使用されることができるが、可能性のある異なるＤＣＩサイズおよび／またはフォーマットを含む、ＰＤＣＣＨおよびＱＰＤＣＣＨのためにモニタする候補のセットの異なる制約が定義されることができる。他の例では、分離探索空間は、ＰＤＣＣＨ探索空間に関連付けられたＱＰＤＣＣＨ探索空間オフセットを有することによるような、ＱＰＤＣＣＨおよびＰＤＣＣＨのために構成され得る、または分離無線ネットワーク一時（ＲＮＴＩ）および／または異なるランダムシードによって生成され得る。探索空間のこのような相関は、スロット１中にレガシーＰＤＣＣＨ探索空間がないので、スロット０送信について可能であるがスロット１送信について可能でない。したがって、スロット１について、図９を参照して以下でさらに詳細に議論されることになるように、ＱＰＤＣＣＨ探索空間は、ＰＤＣＣＨの探索空間と異なり得る。探索空間の相関がまた、ｅＰＤＣＣＨおよびＱｅＰＤＣＣＨに適用可能であることに留意されるべきである。
【００７３】
[86]前述のように、いくつかの例では、単一のＤＣＩフォーマットは、リンク（ＤＬまたはＵＬ）毎に構成され得る。たとえば、ＵＥは、１ｍｓ  ＴＴＩのためにＤＣＩフォーマット１Ａをモニタし、スロットＴＴＩのためにモード依存ＤＣＩフォーマットをモニタするように構成され得る。いくつかの例では、分離ＤＣＩフォーマットは、スロットＴＴＩ制御情報についてに提供され得る。リソース割り振りサイズが（たとえば、２０ＭＨｚシステムにおいて）類似し得るので、スロットＴＴＩについてのＤＣＩサイズは、レガシー制御チャネルのそれより小さくなり得る。たとえば、連続的なリソース割り振りについて、レガシーＤＣＩフォーマット１Ａリソース割り振りサイズは、ｌｏｇ２（（１００＋１）＊１００／２）であり得、それは、１３ビットである。スロットＴＴＩが２−ＲＢリソース割り振り粒度で構成される場合、リソース割り振りサイズは、ｌｏｇ２（（５０＋１）／５０）であり得、それは、１１ビットである（１ｍｓ  ＴＴＩより２ビットすくない）。ビットマップベースのリソース割り振りについて、レガシーリソース割り振りは、２５ビットを必要とし（各ビットが４ＲＢのＲＢグループ（ＲＢＧ）を示す）、新規ＲＢグループが８ＲＢである場合、スロットＴＴＩについて、このようなリソース割り振りは、１３ビットであり、これは、１２ビット削減に帰着する。いくつかの例では、スロットＴＴＩのためのＲＢＧサイズはまた、構成可能にまたは同的に示され得る。さらなるＤＣＩサイズ削減は、スロットＴＴＩ  ＤＣＩにおける送信電力制御（ＴＰＣ）を使用しないことと、電力制御のためにレガシーＤＣＩを信頼することとによってもたらされ、それは、スロットＴＴＩ  ＤＣＩにおける２つより少ないビットに帰着し得る。加えて、レガシーＤＣＩにおける５ビットＭＣＳは、いくつかの例では、３ビットＭＣＳに低減され得る。このような例では、３ビットは、異なるＭＣＳ値にマップされ、ＵＥ毎に明確に構成され、このようなマッピングは、（たとえば、無線リソース制御（ＲＲＣ）シグナリングまたはＳＩＢを介して）周期的に更新され得る。さらに、レガシーＤＣＩの２ビット冗長バージョンは、１ビットに対して除外または低減され、２ｍｓ  ＨＡＲＱ  ＲＴＴで構成される場合、（レガシー３ビットと対比して）２ビットＨＡＲＱプロセスＩＤのみが必要とされる。したがって、スロットＴＴＩについてのＤＣＩは、レガシー１ｍ  ＴＴＩのＤＣＩサイズから低減され得る。
【００７４】
[87]いくつかの例では、同じＤＣＩサイズは、追加または異なる情報を提供するために、再解釈された（ｒｅ−ｉｎｔｅｒｐｒｅｔｅｄ）１ｍｓ  情報フィールドのうちのいくつかで、１−ｍｓ  ＴＴＩおよびスロットＴＴＩ制御情報の両方のために使用され得る。このような場合では、ＤＣＩが１−ｍｓ  ＴＴＩをスケジュールするかスロットＴＴＩをスケジュールするかの区別は、探索空間（たとえば、共通探索空間におけるＤＣＩが１−ｍｓ  ＴＴＩのためである一方、ＵＥ固有探索空間におけるＤＣＩがスロットＴＴＩのためのものである）、ＤＣＩにおけるインジケーション、またはこれらの任意の組み合わせに基づくことができる。１つの例では、スロットＴＴＩ  ＤＣＩフォーマットは、スロットＴＴＩまたは１−ｍｓ  ＴＴＩで各々、スロット０、スロット１、あるいはスロット０とスロット１とをスケジューリングするインジケーションを含み得る。更なる例では、スロットＴＴＩ  ＤＣＩは、（１ｍｓ  ＴＴＩ  ＤＣＩのための１６ビットＣＲＣの代わりに）２４ビットＣＲＣを使用し得る。上で議論したように、このような増加したＣＲＣサイズは、スロットＴＴＩ  ＤＣＩのためのより小さいビットによって適合され、フォルスアラーム可能性を低減するようにプルーニングを実行するために、ＵＥのために必要なものを低減または除外し得る。
【００７５】
[88]上述したように、第２のスロットにおけるＱＰＤＣＣＨは、第１のスロットにおけるＱＰＤＣＣＨより離れて構成され得る。第２のスロット中にレガシー制御がなく、レガシーＰＤＳＣＨがこのスロットを利用するので、様々な例では、第２のスロットにおけるＱＰＤＣＣＨは、レガシーＰＤＳＣＨと共存するように構成される。たとえば、ＰＢＣＨは、あらゆるフレームのサブフレーム０中の第２のスロットの１番目から４番目のシンボルの中央６ＲＢ中に存在し得る。さらに、セル固有基準信号（ＣＲＳ）は、マルチキャスト−ブロードキャスト単一周波数ネットワーク（ＮＢＳＦＮ：multicast-broadcast single-frequency network）サブフレームの第２のスロットのデータ領域中にのみ存在し得、したがって、ＣＲＣベースのＱＰＤＣＣＨを、サポートするのをより困難なものにする。いくつかの例では、第１のスロット中のＰＤＣＣＨまたはＱＰＤＣＣＨにあるような全体のシステム帯域幅にわたって第２のスロット探索空間を定義することに代わって、第２のスロット中のＱＰＤＣＣＨ探索空間は、基地局によって構成されるＲＢのセットに基づいて定義され得る。このようなＲＢは、ＰＢＣＨと衝突するまたは衝突し得ず、時分割多重（ＴＤＤ）の場合ではサブフレーム０および５の最後のシンボル中のＳＳＳと衝突するまたは衝突し得ない。復号候補がＰＢＣＨまたはＳＳＳと衝突するイベントでは、候補は、モニタするために除外され得る。このような構成は、１つのＲＢまたはＲＢＧ粒度を持つビットマップに基づき得る。
【００７６】
[89]いくつかの例では、ＲＢの１つまたは複数のセットは、ｅＰＤＣＣＨと同様の手法で、第２のスロット中のＱＰＵＣＣＨのために構成され得る。たとえば、ＲＢの２つまでのセットは、ＵＥのために構成され、ここで、各セットは、ＵＥによってモニタされる探索空間を自己包含（self-contain）し得る。いくつかの例では、ＲＥＧベースのソリューションは、レガシーＰＤＣＣＨに関しては同様の手法で、使用され得る。いくつかの例では、２つのモードがサポートされ、１つは、ＣＣＥが可能性があるものと同程度に異なるＲＢのＲＥＧにマップされ、それは、改善されたロバスト性および周波数ダイバーシティを提供し得る。他のモードは、ローカライズモードであり得、ＣＣＥは、可能性があるものと同程度のＲＢのより少ない数のＲＥＧにマップされ、それは、ＱＰＤＳＣＨおよびＰＤＳＣＨとより効率的に多重化することを提供し得る。ＱＰＤＣＣＨのための制御情報リソース（たとえば、シンボルの数）の時間スパンは、いくつかの例（たとえば、１シンボルのみ、シンボル０）では、事前定義され、動的に示されるまたは構成されたレイヤ３であり得る（たとえばシンボル０のみ、シンボル０＋シンボル１、等）。さらに、いくつかの場合では、制御情報の時間スパンは、ＲＢの２つ以上のセットが構成されるとき、ＲＢの異なるセットについて異なり得る。追加または代替として、時間スパンは、ＨＡＲＱ  ＲＴＴと結ばれ得る。たとえば、２ｍｓ  ＲＴＴが構成される場合、時間スパンは、最初の３つのシンボル未満に限定されるが、４ｍｓ  ＲＴＴが構成される場合、時間スパンは、７シンボルまたは全スロットまでになり得る。
【００７７】
[90]上の様々な例がＰＤＣＣＨおよびＱＰＤＣＣＨ（またはｅＰＤＣＣＨ／ＱｅＰＤＣＣＨ）に向けられる一方、他の制御チャネルはまた、スロットＴＴＩ中の第２のスロットにおいて存在し得る。たとえば、ＰＣＦＩＣＨは、いくつかの例における第２のスロット中にある一方、他の例では、第２のスロット中に存在し得ない。ＰＣＦＩＣＨが第２のスロット中にある場合の例では、第１のスロット中にＰＣＦＩＣＨのそれとして同じメカニズムを使用し得る。いくつかの例では、第２のスロット中のＰＣＦＩＣＨのために構成されるＲＢは、全体のシステム帯域幅に基づく代わりにＲＣＣ構成に基づき得る（たとえば、ＰＣＦＩＣＨロケーションは、ＱＰＤＣＣＨのために構成されたＲＢのセットに基づいて暗黙的に導出されることができる）。ある例では、ＱＰＤＣＣＨの２つのセットは、ＵＥで構成され、各セットは、それ自身のＰＣＦＩＣＨを有し得る。いくつかの例は、第１のスロットおよび第２のスロットの両方中でレガシーＰＣＦＩＣＨを利用し、スロットの各々中の制御領域は、同じであり得る。いくつかの場合では、基地局は、（たとえば制御のためのシンボルの数）制御領域サイズの良いアラインメントを提供するために第１のスロットおよび第２のスロットにおいて１−ｍｓ  ＴＴＩ  ＵＥＳおよびスロットＴＴＩ  ＵＥｓのための制御チャネルを平衡させ得る。いくつかの例では、ＰＨＩＣＨは、第１のスロット中に存在し得るが第２のスロット中に存在し得ず、それは、スロットＴＴＩ通信のための非同期ＵＬ  ＨＡＲＱを可能にさせ得る。
【００７８】
[91]図９は、複数のＴＴＩ長さを持つ制御チャネルシグナリングのためのサブフレーム９００の例を例示する。いくつかの場合では、サブフレーム９００は、図１−図８を参照して説明されるように、ＵＥ１１５または基地局１０５によって実行される技法の態様を表し得る。図９の例では、ＱＰＤＳＣＨリソースで多重化することは、スロットに依存する、純粋な時分割多重（ＴＦＭ）またはＴＦＭ／ＦＤＭを含み得る。
【００７９】
[92]図９において示されるように、サブフレーム９００は、第１のスロット９０５および第２のスロット９１０を含み得る。第１のスロット９０５は、第１のスロット９０５の第１のシンボル９３５中に位置付けられる９１５においてＱＰＤＣＣＨ送信によって占有されるＲＢを含み得る。第１のスロット９０５では、第１のシンボル９３５は、制御情報のみを含み得、第１のスロット中のＰＤＳＣＨ送信９２０によって占有されるＲＢは、第１のスロットの第１のシンボル９３５の後にのみ位置し得る。したがって、第１のスロット９０５中の制御情報は、第１のスロット９０５中の共有チャネルデータと純粋（purely）ＴＤＭ関係にあり得る。第２のスロット９１０では、ＱＰＤＣＣＨ送信９２５によって占有されるＲＢは、第２のスロット９１０の第１のシンボル９４０中に位置し、ＱＰＤＳＣＨ送信９３０によって占有されるＲＢは、このシンボルにおけるＱＰＤＣＣＨとＦＤＭ関係にあり得る。したがって、ＱＰＤＣＣＨ送信９２５によって占有されるＲＢは、ＴＤＭとＦＤＭの両方を使用してＱＰＤＳＣＨ送信９３０によって占有されるＲＢで多重化され得る。このような多重化スキームは、ＱＰＤＳＣＨが異なるＲＢ中で異なる開始シンボルを有し得ることを暗示し得る。いくつかの場合では、第２のスロット９１０におけるＱＰＤＣＣＨ探索空間の一部分として構成されるＲＢの一部分でないＲＢについて、ＱＰＤＳＣＨは、第２のスロット９１０の第１のシンボル９４０からいつも開始することができる。他の場合では、対応するＱＰＤＣＣＨによって占有されるＲＢについて、ＱＰＤＳＣＨは、対応するＱＰＤＣＣＨの最後のシンボルの後すぐのシンボルにおいて開始することができる。さらなる場合では、対応するＱＰＤＣＣＨによって占有されていないＲＢであるが、第２のスロットにおけるＱＰＤＣＣＨ探索空間のために構成されるＲＢの一部であるＲＢについて、開始シンボルは、他の場合のいずれかに従うことができ、いくつかの例では、基地局は、ＱＰＤＳＣＨが第２のスロット９１０の第１のシンボル９４０からまたは構成されたＱＰＵＣＣＨ探索空間の最後のシンボルの後から開始することができる。別の例では、ＱＰＤＳＣＨについてのＲＢのための開始シンボルはまた、より高いレイヤによって構成され得る。ＲＢの第１のグループが第１の開始シンボルで構成される一方、ＲＢの第２のグループが第２の開始シンボルで構成されることが可能なことに留意されたい。開始シンボルの管理はまた、ＱｅＰＤＣＣＨに適用可能であり得る。たとえば、ＱｅＰＤＣＣＨリソースの２つのセットが構成され、各セットは、基地局によってそれぞれ構成された開始シンボルにさらに関連付けられ得る。
【００８０】
[93]図１０は、本開示の様々な態様にしたがって、複数のＴＴＩ長さを持つ制御チャネルシグナリングのための処理フロー１０００の例を例示する。処理フロー１０００は、図１−図９を参照して説明された対応するデバイスの例である、基地局１０５−ｆおよびＵＥ１１５−ｆを含み得る。
【００８１】
[94]ブロック１００５で、基地局１０５−ｆは、ＴＴＩと各ＴＴＩについての探索空間とを構成し得る。基地局１０５−ｆは、たとえば、ＵＥ１１５−ｆのための１ｍｓ  ＴＴＩおよびスロットＴＴＩの両方を構成し、１ｍｓ  ＴＴＩについての探索空間に関連付けられるスロットＴＴＩの制御情報についての探索空間を構成し得る。基地局１０５−ｆは、ＵＥ１１５−ｆに構成情報１０１０を送信し得る。ＵＥ１１５−ｆは、ブロック１０１５で、１ｍｓ  ＴＴＩおよびスロットＴＴＩのような第１および第２のＴＴＩを識別し得る。ＵＥ１１５−ｆは、ブロック１０２０で、その後、第１のＴＴＩに関連付けられた第１の探索空間（たとえば、１ｍｓ  ＴＴＩについての探索空間）を識別し得る。ブロック１０２５で、ＵＥ１１５−ｆは、いくつかの例では、第１の探索空間に少なくとも部分的に基づいて決定され得る第２の探索空間を決定し得る。
【００８２】
[95]ブロック１０３０で、基地局１０５−ｆは、第１のＴＴＩおよび第２のＴＴＩに従ってダウンリンク送信をフォーマットし、ダウンリンク送信１０３５を送信し得る。ＵＥは、ＤＬ送信のための第１の探索空間および／または第２の探索空間をモニタし得、ブロック１０４０で、ＵＥ１１５−ｆは、異なるＴＴＩ送信に関連付けられた制御情報についての第１および第２の探索空間をブラインド復号し得る。各ＴＴＩの送信のための復号された制御情報に基づいて、ＵＥ１１５−ｆは、ブロック１０４５で、共有チャネル送信を復号し得る。オプションのブロック１０５０で、ＵＥ１１５−ｆは、図５−図８を参照して上で議論したような手法で、共有チャネル送信に関連付けられたＨＡＲＱフィードバックを決定し、基地局１０５−ｆにＨＡＲＱフィードバック１０５５を送信し得る。
【００８３】
[96]図１１は、本開示の様々な態様にしたがって、複数のＴＴＩ長さを持つ制御チャネルシグナリングをサポートするワイヤレスデバイス１１００のブロック図を示す。ワイヤレスデバイス１１００は、図１および２を参照して説明されたＵＥ１１５の態様の例でありうる。ワイヤレスデバイス１１００は、受信機１１０５、制御情報マネージャ１１１０、および送信機１１１５を含み得る。ワイヤレスデバイス１１００はまた、プロセッサを含み得る。これらのコンポーネントの各々は、互いと通信中であり得る。
【００８４】
[97]受信機１１０５は、様々な情報チャネル（例えば、制御チャネル、データチャネル、および複数のＴＴＩ長さをもつ制御チャネルシグナリングに関連する情報、等）に関連付けられた制御情報、ユーザデータ、またはパケットのような情報を受信し得る。情報は、デバイスの他のコンポーネントに伝えられ得る。受信機１１０５は、図１４を参照して説明されるトランシーバ１４２５の態様の例であり得る。
【００８５】
[98]制御情報マネージャ１１１０は、２つ以上のシンボル期間を含む第１の持続時間を持つ第１の送信時間間隔（ＴＴＩ）と第１の持続時間より短い第２の持続時間を持つ第２のＴＴＩとを識別し、第１のＴＴＩに関連付けられた第１の制御情報についてモニタするための第１の探索空間を識別し、第１の探索空間に少なくとも部分的に基づいて、第２のＴＴＩに関連付けられた第２の制御情報についてモニタするための第２の探索空間を決定し、第１の制御情報についての第１の探索空間または第２の制御情報についての第２のもののうちの少なくとも１つをモニタし得る。制御情報マネージャ１１１０はまた、図１４を参照して説明される制御情報マネージャ１４０５の態様の例でありうる。
【００８６】
[99]送信機１１１５は、ワイヤレスデバイス１１００の他のコンポーネントから受信された信号を送信し得る。いくつかの例では、送信機１１１５は、トランシーバモジュール中で受信機とコロケートされ得る。例えば、送信機１１１５は、図１４を参照して説明されるトランシーバ１４２５の態様の例であり得る。送信機１１１５は、単一のアンテナを含み得るか、または、それは、複数のアンテナを含み得る。
【００８７】
[100]図１２は、本開示の様々な態様にしたがって、複数のＴＴＩ長さを持つ制御チャネルシグナリングをサポートするワイヤレスデバイス１２００のブロック図を示す。ワイヤレスデバイス１２００は、図１、図２、および図１１を参照して説明されたワイヤレスデバイス１１００またはＵＥ１１５の態様の例であり得る。ワイヤレスデバイス１２００は、受信機１２０５、制御情報マネージャ１２１０、および送信機１２２５を含み得る。ワイヤレスデバイス１２００はまた、プロセッサを含み得る。これらのコンポーネントの各々は、互いと通信中であり得る。
【００８８】
[101]受信機１２０５は、デバイスの他のコンポーネントに伝えられ得る情報を受信し得る。受信機１２０５はまた、図１１の受信機１１０５を参照して説明された機能を実行し得る。受信機１２０５は、図１４を参照して説明されるトランシーバ１４２５の態様の例であり得る。
【００８９】
[102]制御情報マネージャ１２１０は、図１１を参照して説明される制御情報マネージャ１１１０の態様の例であり得る。制御情報マネージャ１２１０は、ＴＴＩ持続時間コンポーネント１２１５と探索空間コンポーネント１２２０とを含み得る。制御情報マネージャ１２１０はまた、図１４を参照して説明される制御情報マネージャ１４０５の態様の例でありうる。
【００９０】
[103]ＴＴＩ持続時間コンポーネント１２１５は、２つ以上のシンボル期間を備える第１の持続時間を有する第１のＴＴＩと、第１の持続時間よりも短い第２の持続時間を有する第２のリソースセグメントを識別し得る。
【００９１】
[104]探索空間コンポーネント１２２０は、第１のＴＴＩに関連付けられた第１の制御情報についてモニタするための第１の探索空間を識別し、第１の探索空間に基づいて、第２のＴＴＩに関連付けられた第２の制御情報についてモニタするための第２の探索空間を決定し得る。いくつかの例では、第１および第２の探索空間は、サブフレームの第１のスロット中に位置し得、探索空間コンポーネントは、第２の制御情報の第２のサブセットについてモニタするための第２のスロット中の第３の探索空間を決定し得る。
【００９２】
[105]いくつかの場合では、第２の探索空間は、第１の探索空間のサブセットである。いくつかの場合では、第２の探索空間を決定することは、第２のＵＥネットワーク識別子またはランダムシードのうちの１つまたは複数に基づいて第２の探索空間を導出することを備える。いくつかの場合では、第１の制御情報は、第１のＤＣＩサイズおよび第１のＤＣＩフォーマットを有する第１のＤＣＩを備え、第２の制御情報は、第２のＤＣＩサイズおよび第２のＤＣＩフォーマットを有する第２のＤＣＩを備え、第１のＤＣＩサイズと第２のＤＣＩサイズあるいは第１のＤＣＩフォーマットと第２のＤＣＩフォーマットのうちの１つまたは複数は、異なる。
【００９３】
[106]いくつかの場合では、第１のＤＣＩサイズは、第２のＤＣＩサイズより大きい。いくつかの場合では、第１のＤＣＩサイズおよび第２のＤＣＩサイズは、同じであり、第２のＤＣＩのうちの１または複数のビットは、第１のＤＣＩ中の対応するビットと異なる情報を提供する。いくつかの場合では、第１のＤＣＩは、ＣＲＣビットの第１の数を含み、第２のＤＣＩは、ＣＲＣビットの第１の数より多いＣＲＣビットの第２の数を含む。いくつかの場合では、第２の制御情報は、ワイヤレス送信サブフレームの第１のスロットにおいて送信される第２の制御情報の第１のサブセットと、ワイヤレス送信サブフレームの第２のスロットにおいて送信される第２の制御情報の第２のサブセットとを備える。
【００９４】
[107]いくつかの場合では、ワイヤレス送信サブフレームの第１のスロットにおいて送信される第１のサブセットは、第１のスロットにおける共有チャネルデータ送信で時分割多重化される制御チャネル中で送信され、ワイヤレス送信サブフレームの第２のスロットにおいて送信される第２のサブセットは、第２のスロットにおける共有チャネルデータ送信で時分割多重化および周波数分割多重化の両方が行われる第２の制御チャネル中で送信される。いくつかの場合では、第３のは、制御情報送信のために構成される第２のスロットのＲＢのセットに基づいて決定される。
【００９５】
[108]いくつかの場合では、第１の探索空間および第２の探索空間は、第１のスロットにおける送信のためのシステム帯域幅にわたって分配され、第３の探索空間は、システム帯域幅のサブセットにわたって分配される。いくつかの場合では、第３の探索空間は、第２の制御情報に関連付けられた送信モードに基づいて決定される。いくつかの場合では、第２の制御情報の第２のサブセットは、ワイヤレス送信サブフレームの第２のスロットにおいて送信されるＰＤＣＣＨ情報またはＰＣＦＩＣＨ情報のうちの１つまたは複数を備える。いくつかの場合では、第２の探索空間は、第１の探索空間のサブセットに関連付けられる。
【００９６】
[109]送信機１２２５は、ワイヤレスデバイス１２００の他のコンポーネントから受信された信号を送信し得る。いくつかの例では、送信機１２２５は、トランシーバモジュール中で受信機とコロケートされ得る。例えば、送信機１２２５は、図１４を参照して説明されるトランシーバ１４２５の態様の例であり得る。送信機１２２５は、単一のアンテナを利用し得るか、またはそれは、複数のアンテナを利用し得る。
【００９７】
[110]図１３は、ワイヤレスデバイス１１００またはワイヤレスデバイス１２００の対応するコンポーネントの例であり得る制御情報マネージャ１３００のブロック図を示す。すなわち、制御情報マネージャ１３００は、図１１および図１２を参照して説明された制御情報マネージャ１１１０および制御情報マネージャ１２１０の態様の例であり得る。制御情報マネージャ１３００はまた、図１４を参照して説明される制御情報マネージャ１４０５の態様の例であり得る。
【００９８】
[111]制御情報マネージャ１３００は、復号候補コンポーネント１３０５、探索空間コンポーネント１３１０、ＴＴＩ持続時間コンポーネント１３１５、復号器１３２０、ＨＡＲＱコンポーネント１３２５、および多重化コンポーネント１３３０を含み得る。これらのモジュールの各々は、直接的にまたは間接的に、（例えば、１つまたは複数のバスを介して）互いに通信し得る。
【００９９】
[112]復号候補コンポーネント１３０５は、第１の探索空間中にあるとして復号候補の第１のサブセットを識別し、第１および第２の探索空間において受信した送信をブラインド復号するためのブラインド復号候補のセットを識別し得る。ブラインド復号候補のセットは、第２のＴＴＩ送信のためのアグリゲーションレベルの利用可能な数、第２の制御情報についての利用可能なＤＣＩフォーマットのうちの１つまたは複数に基づき得る。いくつかの例では、復号候補コンポーネント１３０５は、第２の制御情報に関連付けられたＨＡＲＱフィードバックのためのＲＴＴに基づいて第２の探索空間において受信した送信をブラインド復号するためのブラインド復号候補のセットを識別し得る。
【０１００】
[113]いくつかの場合では、第１の探索空間を識別することは、第１の制御情報および第２の制御情報のアイデンティフィケーションおよび受信したワイヤレス送信の復号のための復号候補のセットを導出することを備える。いくつかの場合では、第２の探索空間を決定することは、第２の探索空間中であるような復号候補の第２のサブセットを識別することを備える。いくつかの場合では、復号候補の第１のサブセットおよび復号候補の第２のサブセットは、復号候補のセットの重複しないサブセットである。いくつかの場合では、導出することは、ＵＥネットワーク識別子、ランダムシード、または制御情報の利用可能な合計サイズのうちの１つまたは複数に基づく。いくつかの場合では、第１の探索空間のための異なるブラインド復号候補のセットは、第２のＴＴＩを使用する送信が構成されないときより第２のＴＴＩを使用する送信が構成されるときに識別される。
【０１０１】
[114]探索空間コンポーネント１３１０は、第２の制御情報の第２のサブセットについてモニタするための第２のスロット中の第３の探索空間を決定し、第１のＴＴＩに関連付けられた第１の制御情報についてモニタするための第１の探索空間を識別し、第１の探索空間に基づいて、第２のＴＴＩに関連付けられた第２の制御情報についてモニタするための第２の探索空間を決定し得る。
【０１０２】
[115]ＴＴＩ持続時間コンポーネント１３１５は、２つ以上のシンボル期間を備える第１の持続時間を有する第１のＴＴＩと、第１の持続時間よりも短い第２の持続時間を有する第２のリソースセグメントを識別し得る。
【０１０３】
[116]復号器１３２０は、第１の制御情報についての第１の探索空間において受信したワイヤレス送信をブラインド復号し、第２の制御情報についての第２の探索空間において受信したワイヤレス送信をブラインド復号し得る。
【０１０４】
[117]ＨＡＲＱコンポーネント１３２５は、第１の制御情報に関連付けられたＨＡＲＱフィードバックのための第１のＲＴＴを識別し、第２の制御情報に関連付けられたＨＡＲＱフィードバックのための第２のＲＴＴを識別する、ここで、第２のＲＴＴは、第１のＲＴＴより短い。いくつかの場合では、第２のＲＴＴは、第２の制御情報を受信するＵＥの能力に基づいて決定される。いくつかの場合では、第１のＲＴＴは、ＵＥの性能に基づいてレガシーＲＴＴより短いＲＴＴまたはレガシーＲＴＴになるように決定される。
【０１０５】
[118]多重化コンポーネント１３３０は、第２の制御情報のサブセットのシンボルロケーションまたは構成された開始シンボルロケーションのうちの１つまたは複数に基づいて第２のスロットにおいて共有データ送信のための開始シンボルを決定し、第３の探索空間に基づいて第２のスロット中の共有データ送信のための開始シンボルを決定し得る。
【０１０６】
[119]図１４は、本開示の様々な態様にしたがって、複数のＴＴＩ長さを持つ制御チャネルシグナリングをサポートするデバイスを含むシステム１４００の図を示す。例えば、システム１４００は、ＵＥ１１５−ｇを含み得、それは、図１乃至１３を参照して説明されたワイヤレスデバイス１１００、ワイヤレスデバイス１２００、またはＵＥ１１５の例であり得る。
【０１０７】
[120]ＵＥ１１５−ｇはまた、制御情報マネージャ１４０５、メモリ１４１０、プロセッサ１４２０、トランシーバ１４２５、アンテナ１４３０、およびＥＣＣモジュール１４３５を含み得る。これらのモジュールの各々は、直接的にまたは間接的に、（例えば、１つまたは複数のバスを介して）互いに通信し得る。制御情報マネージャ１４０５はまた、図１１乃至図１３を参照して説明される制御情報マネージャ１４０５の態様の例であり得る。
【０１０８】
[121]メモリ１４１０は、ランダムアクセスメモリ（ＲＡＭ）および読取専用メモリ（ＲＯＭ）を含み得る。メモリ１４１０は、実行されると、プロセッサに、（たとえば、複数のＴＴＩ長さを持つ制御チャネルシグナリング、等）本明細書に説明された様々な機能を実行することを行わせる命令を含むコンピュータ可読、コンピュータ実行可能ソフトウェアを記憶し得る。いくつかの場合では、ソフトウェア１４１５は、プロセッサによって直接実行可能ではないことがあり得るが、（例えば、コンパイルおよび実行されたときに）コンピュータに、本明細書に説明された機能を実行することを行わせ得る。プロセッサ１４２０は、インテリジェントハードウェアデバイス（例えば、セントラルプロセシングユニット（ＣＰＵ）、マイクロコントローラ、特定用途向け集積回路（ＡＳＩＣ）等）を含み得る。
【０１０９】
[122]トランシーバ１４２５は、上述されたように、１つまたは複数のアンテナ、またはワイヤードあるいはワイヤレスリンクを介して、１つまたは複数のネットワークと双方向に通信し得る。例えば、トランシーバ１４２５は、基地局１０５またはＵＥ１１５と双方向に通信し得る。トランシーバ１４２５はまた、パケットを変調し、変調されたパケットを送信のためにアンテナに提供し、アンテナから受信されたパケットを復調するためのモデムを含み得る。いくつかの場合では、ワイヤレスデバイスは、単一のアンテナ１４３０を含み得る。しかしながら、いくつかの場合では、デバイスは、１つよりも多くのアンテナ１４３０を有し得、それらは、複数のワイヤレス送信を同時に送信または受信することが可能であり得る。
【０１１０】
[123]ＥＣＣモジュール１４３５は、共有または無免許スペクトルを使用する通信のようなＥＣＣを使用すること、低減された長さＴＴＩあるいはサブフレーム持続時間を使用すること、または多数のＣＣをしようすることを行う動作を可能にし得る。
【０１１１】
[124]図１５は、本開示の様々な態様にしたがって、複数のＴＴＩ長さを持つ制御チャネルシグナリングのための方法フロー１５００を例示するフローチャートを示す。方法１５００の動作は、図１および図２を参照して説明されたように、ＵＥ１１５のようなデバイスまたはそのコンポーネントによってインプリメントされ得る。例えば、方法１５００の動作は、本明細書に説明された制御情報マネージャによって実行され得る。いくつかの例では、ＵＥ１１５は、以下に説明される機能を実行するためのデバイスの機能的な要素を制御するために、コードのセットを実行し得る。追加または代替として、ＵＥ１１５は、特殊用途ハードウェアを使用して、以下に説明される機能の態様を遂行し得る。
【０１１２】
[125]ブロック１５０５で、ＵＥ１１５は、図２乃至図１０を参照して上で説明されたように、２つ以上のシンボル期間を備える第１の持続時間を有する第１のＴＴＩと、第１の持続時間よりも短い第２の持続時間を有する第２のリソースセグメントを識別し得る。ある例では、ブロック１５０５の動作は、図１２および図１３を参照して説明されたＴＴＩ持続時間コンポーネントによって実行され得る。
【０１１３】
[126]ブロック１５１０で、ＵＥ１１５は、図２乃至図１０を参照して上述されたように、第１のＴＴＩに関連付けられた第１の制御情報を決定し得る。ある例では、ブロック１５１０の動作は、図１２および図１３を参照して説明された探索空間コンポーネントによって実行され得る。
【０１１４】
[127]ブロック１５１５で、ＵＥ１１５は、図２乃至図１０を参照して上述されたように、第１の探索空間に基づいて、第２のＴＴＩに関連付けられた第２の制御情報についてモニタするための第２の探索空間を決定し得る。ある例では、ブロック１５１５の動作は、図１２および図１３を参照して説明された探索空間コンポーネントによって実行され得る。ＵＥ１１５は、その後、図２乃至図１０を参照して上で議論されたように、第１の制御情報についての第１の探索空間または第２の制御情報についての第２の探索空間のうちの少なくとも１つをモニタし得る。
【０１１５】
[128]図１６は、本開示の様々な態様にしたがって、複数のＴＴＩ長さを持つ制御チャネルシグナリングのための方法フロー１６００を例示するフローチャートを示す。方法１６００の動作は、図１および図２を参照して説明されたように、ＵＥ１１５のようなデバイスまたはそのコンポーネントによってインプリメントされ得る。例えば、方法１６００の動作は、本明細書に説明された制御情報マネージャによって実行され得る。いくつかの例では、ＵＥ１１５は、以下に説明される機能を実行するためのデバイスの機能的な要素を制御するために、コードのセットを実行し得る。追加または代替として、ＵＥ１１５は、特殊用途ハードウェアを使用して、以下に説明される機能の態様を実行し得る。
【０１１６】
[129]ブロック１６０５で、ＵＥ１１５は、図２乃至図１０を参照して上で説明されたように、２つ以上のシンボル期間を備える第１の持続時間を有する第１のＴＴＩと、第１の持続時間よりも短い第２の持続時間を有する第２のリソースセグメントを識別し得る。ある例では、ブロック１６０５の動作は、図１２および図１３を参照して説明されたＴＴＩ持続時間コンポーネントによって実行され得る。
【０１１７】
[130]ブロック１６１０で、ＵＥ１１５は、図２乃至図１０を参照して上述されたように、第１のＴＴＩに関連付けられた第１の制御情報を決定し得る。いくつかの場合では、第１の探索空間を識別することは、第１の制御情報および第２の制御情報のアイデンティフィケーションおよび受信したワイヤレス送信の復号のための復号候補のセットを導出することを備える。ある例では、ブロック１６１０の動作は、図１２および図１３を参照して説明された探索空間コンポーネントによって実行され得る。
【０１１８】
[131]ブロック１６１５で、ＵＥ１１５は、図２乃至図１０を参照して上述されたように、第１の探索空間に基づいて、第２のＴＴＩに関連付けられた第２の制御情報についてモニタするための第２の探索空間を決定し得る。いくつかの場合では、第２の探索空間を決定することは、第２の探索空間中であるような復号候補の第２のサブセットを識別することを備える。ある例では、ブロック１６１５の動作は、図１２および図１３を参照して説明された探索空間コンポーネントによって実行され得る。
【０１１９】
[132]ブロック１６２０で、ＵＥ１１５は、図２乃至図１０を参照して上述されたように、第１の探索空間であるとして復号候補の第１のサブセットを識別し得る。ある例では、ブロック１６２０の動作は、図１２および図１３を参照して説明された復号候補コンポーネントによって実行され得る。
【０１２０】
[133]図１７は、本開示の様々な態様にしたがって、複数のＴＴＩ長さを持つ制御チャネルシグナリングのための方法フロー１７００を例示するフローチャートを示す。方法１７００の動作は、図１および図２を参照して説明されたように、ＵＥ１１５のようなデバイスまたはそのコンポーネントによってインプリメントされ得る。例えば、方法１７００の動作は、本明細書に説明された制御情報マネージャによって実行され得る。いくつかの例では、ＵＥ１１５は、以下に説明される機能を実行するためのデバイスの機能的な要素を制御するために、コードのセットを実行し得る。追加または代替として、ＵＥ１１５は、特殊用途ハードウェアを使用して、以下に説明される機能の態様を実行し得る。
【０１２１】
[134]ブロック１７０５で、ＵＥ１１５は、図２乃至図１０を参照して上で説明されたように、２つ以上のシンボル期間を備える第１の持続時間を有する第１のＴＴＩと、第１の持続時間よりも短い第２の持続時間を有する第２のリソースセグメントを識別し得る。ある例では、ブロック１７０５の動作は、図１２および図１３を参照して説明されたＴＴＩ持続時間コンポーネントによって実行され得る。
【０１２２】
[135]ブロック１７１０で、ＵＥ１１５は、図２乃至図１０を参照して上述されたように、第１のＴＴＩに関連付けられた第１の制御情報を決定し得る。ある例では、ブロック１７１０の動作は、図１２および図１３を参照して説明された探索空間コンポーネントによって実行され得る。
【０１２３】
[136]ブロック１７１５で、ＵＥ１１５は、図２乃至図１０を参照して上述されたように、第１の探索空間に基づいて、第２のＴＴＩに関連付けられた第２の制御情報についてモニタするための第２の探索空間を決定し得る。ある例では、ブロック１７１５の動作は、図１２および図１３を参照して説明された探索空間コンポーネントによって実行され得る。
【０１２４】
[137]ブロック１７２０で、ＵＥ１１５は、図２乃至図１０を参照して上述されたように、第１の探索空間をモニタし、第１の制御情報についての第１の探索空間において受信されたワイヤレス送信をブラインド復号し得る。ある例では、ブロック１７２０の動作は、図１２および図１３を参照して説明されたように、復号器によって実行され得る。
【０１２５】
[138]ブロック１７２５で、ＵＥ１１５は、図２乃至図１０を参照して上述されたように、第２の探索空間をモニタし、第２の制御情報についての第２の探索空間において受信されたワイヤレス送信をブラインド復号し得る。ある例では、ブロック１７２５の動作は、図１２および図１３を参照して説明されたように、復号器によって実行され得る。
【０１２６】
[139]図１８は、本開示の様々な態様にしたがって、複数のＴＴＩ長さを持つ制御チャネルシグナリングのための方法フロー１８００を例示するフローチャートを示す。方法１８００の動作は、図１および図２を参照して説明されたように、ＵＥ１１５のようなデバイスまたはそのコンポーネントによってインプリメントされ得る。例えば、方法１８００の動作は、本明細書に説明された制御情報マネージャによって実行され得る。いくつかの例では、ＵＥ１１５は、以下に説明される機能を実行するためのデバイスの機能的な要素を制御するために、コードのセットを実行し得る。追加または代替として、ＵＥ１１５は、特殊用途ハードウェアを使用して、以下に説明される機能の態様を実行し得る。
【０１２７】
[140]ブロック１８０５で、ＵＥ１１５は、図２乃至図１０を参照して上で説明されたように、２つ以上のシンボル期間を備える第１の持続時間を有する第１のＴＴＩと、第１の持続時間よりも短い第２の持続時間を有する第２のリソースセグメントを識別し得る。ある例では、ブロック１８０５の動作は、図１２および図１３を参照して説明されたＴＴＩ持続時間コンポーネントによって実行され得る。
【０１２８】
[141]ブロック１８１０で、ＵＥ１１５は、図２乃至図１０を参照して上述されたように、第１のＴＴＩに関連付けられた第１の制御情報を決定し得る。ある例では、ブロック１８１０の動作は、図１２および図１３を参照して説明された探索空間コンポーネントによって実行され得る。
【０１２９】
[142]ブロック１８１５で、ＵＥ１１５は、図２乃至図１０を参照して上述されたように、第１の探索空間に基づいて、第２のＴＴＩに関連付けられた第２の制御情報についてモニタするための第２の探索空間を決定し得る。ある例では、ブロック１８１５の動作は、図１２および図１３を参照して説明された探索空間コンポーネントによって実行され得る。
【０１３０】
[143]ブロック１８２０で、ＵＥ１１５は、図２乃至図１０を参照して上述されたように、第１の制御情報に関連付けられたＨＡＲＱフィードバックのための第１のＲＴＴを識別し得る。ある例では、ブロック１８２０の動作は、図１２および図１３を参照して説明されたＨＡＲＱコンポーネントによって実行され得る。
【０１３１】
[144]ブロック１８２５で、ＵＥ１１５は、図２乃至図１０を参照して上述されたように、第２の制御情報に関連付けられたＨＡＲＱフィードバックのための第２のＲＴＴを識別する、ここで、第２のＲＴＴは、第１のＲＴＴより短い。ある例では、ブロック１８２５の動作は、図１２および図１３を参照して説明されたＨＡＲＱコンポーネントによって実行され得る。
【０１３２】
[145]図１９は、本開示の様々な態様にしたがって、複数のＴＴＩ長さを持つ制御チャネルシグナリングのための方法フロー１９００を例示するフローチャートを示す。方法１９００の動作は、図１および図２を参照して説明されたように、ＵＥ１１５のようなデバイスまたはそのコンポーネントによってインプリメントされ得る。例えば、方法１９００の動作は、本明細書に説明された制御情報マネージャによって実行され得る。いくつかの例では、ＵＥ１１５は、以下に説明される機能を実行するためのデバイスの機能的な要素を制御するために、コードのセットを実行し得る。追加または代替として、ＵＥ１１５は、特殊用途ハードウェアを使用して、以下に説明される機能の態様を実行し得る。
【０１３３】
[146]ブロック１９０５で、ＵＥ１１５は、図２乃至図１０を参照して上で説明されたように、２つ以上のシンボル期間を備える第１の持続時間を有する第１のＴＴＩと、第１の持続時間よりも短い第２の持続時間を有する第２のリソースセグメントを識別し得る。ある例では、ブロック１９０５の動作は、図１２および図１３を参照して説明されたＴＴＩ持続時間コンポーネントによって実行され得る。
【０１３４】
[147]ブロック１９１０で、ＵＥ１１５は、図２乃至図１０を参照して上述されたように、第１のＴＴＩに関連付けられた第１の制御情報を決定し得る。ある例では、ブロック１９１０の動作は、図１２および図１３を参照して説明された探索空間コンポーネントによって実行され得る。
【０１３５】
[148]ブロック１９１５で、ＵＥ１１５は、図２乃至図１０を参照して上述されたように、第１の探索空間に基づいて、第２のＴＴＩに関連付けられた第２の制御情報についてモニタするための第２の探索空間を決定し得る。ある例では、ブロック１９１５の動作は、図１２および図１３を参照して説明された探索空間コンポーネントによって実行され得る。
【０１３６】
[149]ブロック１９２０で、ＵＥ１１５は、図２乃至図１０を参照して上述されたように、第２の制御情報の第２のサブセットについてモニタするための第２のスロット中の第３の探索空間を決定し得る。いくつかの場合では、第２の制御情報は、ワイヤレス送信サブフレームの第１のスロットにおいて送信される第２の制御情報の第１のサブセットと、ワイヤレス送信サブフレームの第２のスロットにおいて送信される第２の制御情報の第２のサブセットとを備える。ある例では、ブロック１９２０の動作は、図１２および図１３を参照して説明された探索空間コンポーネントによって実行され得る。
【０１３７】
[150]ブロック１９２５において、ＵＥ１１５は、図２乃至図１０を参照して上述されたように、第３の探索空間に基づいて第２のスロット中の共有データ送信のための開始シンボルを決定し得る。ある例では、ブロック１９２５の動作は、図１２および図１３を参照して説明された多重化コンポーネントによって実行され得る。
【０１３８】
[151]これらの方法は、可能なインプリメンテーションを説明しており、動作およびステップは、他のインプリメンテーションが可能になるように、再配列またはそうでない場合は修正されうることに留意されたい。いくつかの例では、方法のうちの２つ以上からの態様が組み合され得る。たとえば、方法の各々の態様は、他の方法のステップまたは態様を含み得る、または本明細書で説明される他のステップまたは技法を含み得る。したがって、本開示の態様は、複数のＴＴＩ長さを持つ制御チャネルシグナリングを提供し得る。
【０１３９】
[152]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。このことから、本開示は、本明細書に説明された例および設計に限定されるべきではなく、本明細書に開示された原理および新規の特徴と一致する最も広い範囲が付与されるべきである。
【０１４０】
[153]本明細書に説明された機能は、ハードウェア、プロセッサによって実行されるソフトウェア、ファームウェア、またはそれらの任意の組み合わせにおいてインプリメントされ得る。プロセッサによって実行されるソフトウェアで実装される場合、機能は、コンピュータ可読媒体上で１つまたは複数の命令またはコードとして記憶または送信され得る。他の例およびインプリメンテーションは、本開示および添付の請求項の範囲内にある。例えば、ソフトウェアの性質に起因して、上述された機能は、プロセッサによって実行されるソフトウェア、ハードウェア、ファームウェア、ハードワイヤリング、またはこれらのうちのいずれのものの組合せを使用してもインプリメントされ得る。機能を実現する特徴はまた、様々な位置において物理的に位置付けされ得、それは、機能の一部が異なる物理的な位置においてインプリメントされるように分散されることを含む。また、特許請求の範囲を含む本明細書で使用されるとき、項目のリスト（例えば、「のうちの少なくとも１つ」あるいは「１つまたは複数」のようなフレーズで始まる項目のリスト）において使用される「または」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、包括的なリストを示す。
【０１４１】
[154]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望されたプログラムコード手段を記憶または搬送するために使用されることができ、汎用または特殊用途コンピュータ、もしくは汎用または特殊用途プロセッサによってアクセスされることができる任意の他の非一時的媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義中に含まれる。本明細書で使用される場合、ディスク（ｄｉｓｋ）およびディスク（ｄｉｓｃ）は、ＣＤ、レーザーディスク（登録商標）（ｄｉｓｃ）、光学ディスク（ｄｉｓｃ）、デジタル多目的ディスク（ｄｉｓｃ）（ＤＶＤ）、フロッピー（登録商標）ディスク（ｄｉｓｋ）、およびブルーレイディスク（ｄｉｓｃ）を含み、ここでディスク（ｄｉｓｋ）は通常磁気的にデータを再生する一方で、ディスク（ｄｉｓｃ）は、レーザーを用いて光学的にデータを再生する。上記の組合せもまた、コンピュータ可読媒体の範囲内に含まれる。
【０１４２】
[155]本明細書で説明されている技法は、ＣＤＭＡ、ＴＤＭＡ、ＦＤＭＡ、ＯＦＤＭＡ、単一搬送波周波数分割多元接続（ＳＣ−ＦＤＭＡ）、または他のシステムのような様々なワイヤレス通信システムのために使用されうる。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは一般に、ＣＤＭＡ２０００  １Ｘ、１Ｘ等と称される。ＩＳ−８５６（ＴＩＡ−８５６）は一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１、ＩＥＥＥ８０２．１６（ＷｉＭＡＸ）、ＩＥＥＥ８０２．２０、フラッシュ−ＯＦＤＭ等のような無線技術をインプリメントし得る。ＵＴＲＡおよびＥ−ＵＴＲＡは、ユニバーサルモバイル電気通信システム（ユニバーサルモバイル電気通信システム（ＵＭＴＳ））の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ（登録商標））という名称の団体による文書中で説明されている。ＣＤＭＡ２０００およびＵＭＢは、「第３世代パートナーシッププロジェクト２」（３ＧＰＰ２）という名称の団体による文書中で説明されている。本明細書で説明されている技法は、上述されたシステムおよび無線技術と、ならびに他のシステムおよび無線技術にも使用され得る。それらの技法はＬＴＥアプリケーションを超えて適用可能であるのだが、しかしながら本明細書における説明は、例示の目的でＬＴＥシステムを説明しており、上述の説明の大部分でＬＴＥ用語が使用されている。
【０１４３】
[156]本明細書に説明されたネットワークを含むＬＴＥ／ＬＴＥ−Ａネットワークでは、発展型ノードＢ（ｅＮＢ）という用語は概して、基地局を説明するために使用され得る。本明細書に説明された１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア（ｃｏｍｐｏｎｅｎｔ  ｃａｒｒｉｅｒ）、あるいはキャリアまたは基地局のカバレッジエリア（例えば、セクタ、等）を説明するために使用されることができる、３ＧＰＰ（登録商標）の用語である。
【０１４４】
[157]基地局は、当業者によって、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得るか、またはそれらを含み得る。基地局の地理的なカバレッジエリアは、カバレッジエリアの一部のみを構成するセクタに分割され得る。本明細書に説明された１つまたは複数のワイヤレス通信システムは、異なるタイプの基地局（例えば、マクロまたはスモールセル基地局）を含み得る。本明細書に説明されたＵＥは、マクロｅＮＢ、スモールセルｅＮＢ、中継基地局、等を含む様々なタイプの基地局およびネットワーク機器と通信することが可能であり得る。異なる技術のために重複している地理的カバレッジエリアが存在し得る。いくつかの場合では、異なるカバレッジエリアは、異なる通信技法に関連付けられ得る。いくつかの場合では、１つの通信技法のためのカバレッジエリアは、別の技法に関連付けられたカバレッジエリアと重複し得る。異なる技法は、同じ基地局と関連付けられ得る、または異なる基地局と関連付けられ得る。
【０１４５】
[158]マクロセルは概して、比較的大きな地理的エリア（例えば、半径数キロメートル）をカバーし、ネットワークプロバイダにサービス加入しているＵＥによる無制限のアクセスを可能にし得る。スモールセルは、マクロセルと比較して、より低い電力の基地局であり、これは、マクロセルと同じまたは異なる（例えば、認可、無認可、等の）周波数帯域において動作し得る。スモールセルは、様々な例にしたがって、ピコセル、フェムトセル、およびマイクロセルを含み得る。ピコセルは、例えば、小さな地理的エリアをカバーし、ネットワークプロバイダにサービス加入しているＵＥによる無制限のアクセスを可能にし得る。フェムトセルもまた、小さな地理的エリア（例えば、家）をカバーし、フェムトセルとの関連付けを有するＵＥ（例えば、クローズド加入者グループ（ＣＳＧ）中のＵＥ、家の中にいるユーザのためのＵＥ、等）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセル（例えば、ＣＣ）をサポートし得る。ＵＥは、マクロｅＮＢ、スモールセルｅＮＢ、中継基地局、等を含む様々なタイプの基地局およびネットワーク機器と通信することが可能であり得る。
【０１４６】
[159]本明細書に説明された１つまたは複数のワイヤレス通信システムは、同期または非同期動作をサポートし得る。同期動作の場合、複数の基地局は、同様のフレームタイミングを有し得、異なる基地局からの送信は、時間的にほぼアラインされ得る。非同期動作では、基地局は異なるフレームタイミングを有し得、異なる基地局からの送信が時間的にアラインされないことがある。本明細書に説明された技法は、同期または非同期動作のいずれかに対して使用され得る。
【０１４７】
[160]本明細書で説明されたＤＬ送信はまた、順方向リンク送信と呼ばれ得、一方、ＵＬ送信はまた、逆方向リンク送信と呼ばれ得る。例えば、図１および２のワイヤレス通信システム１００および２００を含む、ここに説明された各通信リンクは、１つまたは複数のキャリアを含み得、ここで、各キャリアは、複数のサブキャリア（例えば、異なる周波数の波形信号）から成る信号であり得る。各変調信号は、異なるサブキャリア上で送られ得、制御情報（例えば、基準信号、制御チャネル等）、オーバヘッド情報、ユーザデータ等を搬送し得る。本明細書に説明された通信リンク（例えば、図１の通信リンク１２５）は、周波数分割複信（ＦＤＤ）動作を使用して（例えば、対にされたスペクトルリソースを使用して）またはＴＤＤ動作を使用して（例えば、対にされていないスペクトルリソースを使用して）双方向通信を送信し得る。ＦＤＤのためのフレーム構造（例えば、フレーム構造タイプ１）およびＴＤＤに関するフレーム構造（例えば、フレーム構造タイプ２）が定義され得る。
【０１４８】
[161]したがって、本開示の態様は、複数のＴＴＩ長さを持つ制御チャネルシグナリングを提供し得る。これらの方法は、可能なインプリメンテーションを説明しており、動作およびステップは、他のインプリメンテーションが可能になるように、再配列またはそうでない場合は修正されうることに留意されたい。いくつかの例では、方法のうちの２つ以上からの態様が組み合され得る。
【０１４９】
[162]本明細書での開示に関連して説明された、様々な例示的なブロックおよびモジュールは、本明細書に説明された機能を行うように設計された、汎用プロセッサ、デジタルシグナルプロセッサ（ＤＳＰ）、ＡＳＩＣ、フィールドプログラマブルゲートアレイ（ＦＰＧＡ）、または他のプログラマブル論理デバイス、ディスクリートゲートあるいはトランジスタ論理、ディスクリートハードウェアコンポーネント、またはこれらの任意の組み合わせを用いて、インプリメントまたは実行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、ＤＳＰおよびマイクロプロセッサの組み合わせ、複数のマイクロプロセッサ、ＤＳＰコアと連携した１つまたは複数のマイクロプロセッサ、あるいは任意の他のそのような構成）としてインプリメントされ得る。したがって、機能は、少なくとも１つの集積回路（ＩＣ）上で、１つまたは複数の他の処理ユニット（あるいはコア）によって実行され得る。様々な例では、ＩＣの異なるタイプ（例えば、ストラクチャード／プラットフォームＡＳＩＣ、ＦＰＧＡ、または別のセミカスタムＩＣ）が使用されえ、それらは、当該技術において知られている任意の方式でプログラムされうる。各ユニットの機能はまた、全体的にあるいは部分的に、メモリ中で具現化された命令によりインプリメントされ、１つまたは複数の汎用あるいは特定用途向けプロセッサによって実行されるようにフォーマットされ得る。
【０１５０】
[163]当業者に既知である、または後に知られるようになる、本開示全体にわたって説明されている様々な態様の要素に対する全ての構造的および機能的な同等物が、参照によって本明細書に明確に組み込まれ、特許請求の範囲によって包含されるよう意図されている。さらに、本明細書で開示されたものが、特許請求の範囲に明示的に記載されているかどうかにかかわらず、そのような開示は公に寄与されることを意図したものではない。「モジュール」、「メカニズム」、「要素」、「デバイス」、「コンポーネント」、および同様の用語は、「手段」という用語の代用物でないこともある。このように、いずれの請求項の要素も、その要素が「〜のための手段」というフレーズを使用して明示的に記載されていない限り、ミーンズプラスファンクションとして解釈されるべきではない。
【図１】
2019506077.tif 000003
【図２】
2019506077.tif 000004
【図３】
2019506077.tif 000005
【図４】
2019506077.tif 000006
【図５】
2019506077.tif 000007
【図６】
2019506077.tif 000008
【図７】
2019506077.tif 000009
【図８】
2019506077.tif 000010
【図９】
2019506077.tif 000011
【図１０】
2019506077.tif 000012
【図１１】
2019506077.tif 000013
【図１２】
2019506077.tif 000014
【図１３】
2019506077.tif 000015
【図１４】
2019506077.tif 000016
【図１５】
2019506077.tif 000017
【図１６】
2019506077.tif 000018
【図１７】
2019506077.tif 000019
【図１８】
2019506077.tif 000020
【図１９】
2019506077.tif 000021
【国際調査報告】
2019506077.tif 000022
2019506077.tif 000023
2019506077.tif 000024